(57)【要約】本発明のテレビジョン受像機は、ＩＥＥＥ（１３９４）ライン及びＨＤＭＩラインを介して接続されている外部機器（１ｂ）〜（３ｂ）に対し、順次同一の送信コマンドを送信し、上記各ＨＤＭＩラインが接続されているＨＤＭＩ端子のＤＣレベルをモニタすることにより、上記各ＢＤレコーダ（１ｂ）〜（３ｂ）から上記各送信コマンドに応答して発せられる応答コマンドの伝送に使用されたＨＤＭＩラインを識別し、上記各ＢＤレコーダ（１ｂ）〜（３ｂ）に使用されたＩＥＥＥ（１３９４）ライン及びＨＤＭＩラインを、該各ＢＤレコーダ（１ｂ）〜（３ｂ）の動作に応じて自動的に切り替えるものであり、これにより、テレビジョン受像機にＨＤＭＩライン及びＩＥＥＥ（１３９４）ラインにより連結されている複数の外部機器に関し、各外部機器がどのＨＤＭＩラインと接続されているのかを自動的に認識することができ、従来のような煩わしい設定を行う必要が無くなり、ユーザの操作性を向上させることができる。
2005015901.tif 000002
【特許請求の範囲】
【請求項１】
複数の外部機器が、それぞれＩＥＥＥ１３９４ライン及びアナログラインを介して接続されるテレビジョン受像機であって、
上記複数の各外部機器に対し、該外部機器に接続されたＩＥＥＥ１３９４ラインを介して順次同じ送信コマンドを送信するコマンド送信手段と、
上記各外部機器から上記各送信コマンドに応答して発せられる応答コマンドの伝送に使用されたアナログラインを、上記各アナログラインに接続されているアナログ映像信号入力端子、またはアナログ音声信号入力端子のＤＣレベルをモニタすることにより識別し、上記各外部機器に使用されたＩＥＥＥ１３９４ライン、及びアナログラインを、上記各外部機器の動作に応じて自動的に切替える切替制御手段とを備えた、
ことを特徴とするテレビジョン受像機。
【請求項２】
複数の外部機器が、それぞれＩＥＥＥ１３９４ライン及びアナログラインを介して接続されるテレビジョン受像機であって、
上記複数の各外部機器に対し、該外部機器に接続されたＩＥＥＥ１３９４ラインを介して上記各外部機器毎に特性の異なる各送信コマンドを送信するコマンド送信手段と、
上記各外部機器から上記各送信コマンドに応答して発せられる応答コマンドの伝送に使用されたアナログラインを識別し、上記各外部機器に使用されたＩＥＥＥ１３９４ライン、及びアナログラインを、上記各外部機器の動作に応じて自動的に切替える切替制御手段と、を備えた、
ことを特徴とするテレビジョン受像機。
【請求項３】
請求の範囲第１項に記載のテレビジョン受像機において、
上記送信コマンドは、上記外部機器に対しての電源投入または遮断、ないしはその繰り返しである、
ことを特徴とするテレビジョン受像機。
【請求項４】
請求の範囲第２項に記載のテレビジョン受像機において、
上記送信コマンドは、上記外部機器に対しての電源投入または遮断、ないしはその繰り返しであり、
上記コマンド送信手段は、外部機器毎に、ｏｎ時間あるいは、ｏｎ／ｏｆｆ制御回数の異なる送信コマンドを送信する、
ことを特徴とするテレビジョン受像機。
【請求項５】
請求の範囲第２項に記載のテレビジョン受像機において、
上記各アナログラインが接続されている端子は、アナログ映像信号入力端子、またはアナログ音声信号入力端子である、
ことを特徴とするテレビジョン受像機。
【請求項６】
請求の範囲第５項に記載のテレビジョン受像機において、
上記切替制御手段は、上記アナログ映像信号入力端子、または上記アナログ音声信号入力端子のＤＣレベルをモニタすることにより、上記アナログラインの識別を行う、
ことを特徴とするテレビジョン受像機。
【請求項７】
外部機器が、ＩＥＥＥ１３９４ライン及びデジタルラインを介して接続されるテレビジョン受像機であって、
上記外部機器に対し、上記ＩＥＥＥ１３９４ラインを介して送信コマンドを送信するコマンド送信手段と、
上記外部機器から上記送信コマンドに応答して発せられる応答コマンドの伝送に使用されたデジタルラインを識別し、上記外部機器に使用されたＩＥＥＥ１３９４ライン、及びデジタルラインを、上記外部機器の動作に応じて切替える切替制御手段と、を備えた、
ことを特徴とするテレビジョン受像機。
【請求項８】
複数の外部機器が、それぞれＩＥＥＥ１３９４ライン及びデジタルラインを介して接続されるテレビジョン受像機であって、
上記複数の各外部機器に対し、該外部機器に接続されたＩＥＥＥ１３９４ラインを介して順次同じ送信コマンドを送信するコマンド送信手段と、
上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切り替える切替制御手段と、を備えた、
ことを特徴とするテレビジョン受像機。
【請求項９】
複数の外部機器が、それぞれＩＥＥＥ１３９４ライン及びデジタルラインを介して接続されるテレビジョン受像機であって、
上記複数の各外部機器に対し、該外部機器に接続されたＩＥＥＥ１３９４ラインを介して上記各外部機器毎に特性の異なる各送信コマンドを送信するコマンド送信手段と、
上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切替える切替制御手段と、を備えた、
ことを特徴とするテレビジョン受像機。
【請求項１０】
請求の範囲第８項に記載のテレビジョン受像機において、
上記送信コマンドは、上記外部機器に対しての電源投入または遮断、ないしはその繰り返しである、
ことを特徴とするテレビジョン受像機。
【請求項１１】
請求の範囲第９項に記載のテレビジョン受像機において、
上記送信コマンドは、上記外部機器に対しての電源投入または遮断、ないしはその繰り返しであり、
上記コマンド送信手段は、外部機器毎に、ｏｎ時間あるいは、ｏｎ／ｏｆｆ制御回数の異なる送信コマンドを送信する、
ことを特徴とするテレビジョン受像機。
【請求項１２】
請求の範囲第８項または第９項に記載のテレビジョン受像機において、
上記各デジタルラインが接続されている端子は、ＨＤＭＩ端子である、
ことを特徴とするテレビジョン受像機。
【請求項１３】
請求の範囲第１２項に記載のテレビジョン受像機において、
上記切替制御手段は、上記ＨＤＭＩ端子のＤＣレベルをモニタすることにより、上記デジタルラインの識別を行う、
ことを特徴とするテレビジョン受像機。
【請求項１４】
請求の範囲第１２項に記載のテレビジョン受像機において、
上記コマンド送信手段は、上記送信コマンドをＩＥＥＥ１３９４ラインを介して外部機器に送信し、
上記切替制御手段は、上記外部機器より上記送信コマンドに応答して発せられる機器制御信号の信号レベル、または機器制御信号の応答コマンドをモニタすることにより、上記デジタルラインの識別を行う、
ことを特徴とするテレビジョン受像機。
【請求項１５】
ＩＥＥＥ１３９４ライン及びアナログラインを介してテレビジョン受像機に接続される外部機器であって、
上記テレビジョン受像機から上記ＩＥＥＥ１３９４ラインを介して伝送されてきた送信コマンドを検出し、該送信コマンドに対する応答コマンドを上記アナログラインを介して上記テレビジョン受像機に出力する検出手段を備えた、
ことを特徴とする外部機器。
【請求項１６】
ＩＥＥＥ１３９４ライン及びデジタルラインを介してテレビジョン受像機に接続される外部機器であって、
上記テレビジョン受像機から上記ＩＥＥＥ１３９４ラインを介して伝送されてきた送信コマンドを検出し、該送信コマンドに対する応答コマンドを上記デジタルラインを介して上記テレビジョン受像機に出力する検出手段を備えた、
ことを特徴とする外部機器。
【発明の詳細な説明】
【技術分野】  本発明は、テレビジョン受像機、及び該テレビジョン受像機にＩＥＥＥ１３９４ラインを介して接続されている外部機器に関するものである。
【背景技術】  近年、デジタル放送の普及により、テレビやＶＴＲなどのＡＶ機器のデジタル化が進んでおり、ＩＥＥＥ１３９４といったＡＶ用ネットワーク規格を利用するものが増えている。ＩＥＥＥ１３９４とは、デジタルＡＶ機器を相互に接続可能なデジタルインタフェースのことであり、これにより、ＡＶ機器同士がネットワークを構築し、お互いにＡＶストリームをやり取りすることができる。
このようなＩＥＥＥ１３９４を備えるテレビジョン受像機（ＴＶ）の概略構成を第１１図に示す。
第１１図に示すＴＶは、ユーザの入力情報を受信する受信手段１０と、上記入力情報に従って各機能ブロックを制御する制御手段２０と、外部機器とデータのやり取りを行うＩ／Ｆ部３０と、上記Ｉ／Ｆ部３０から信号処理手段５０へのデータ出力経路を切替える切替手段４０と、外部機器から受け取ったデータに所定の処理を施す信号処理手段５０と、上記所定の処理を施されたデータを表示出力する表示出力手段６０とを備えている。
上記制御手段２０は、第１２図に示すように、ユーザからの入力情報に従って各種の設定指示を行うとともに、設定情報を記憶する設定手段２１と、上記設定手段２１の指示に従って切替信号を出力するセレクタ制御手段２２と、上記設定手段２１の指示に従って信号処理制御信号を出力する信号処理制御手段２３と、上記設定手段２１の指示に従って表示出力制御信号を出力する表示出力制御手段２４とを有するものである。
上記Ｉ／Ｆ部３０は、第１４図に示すように、５台までの外部機器とアナログ接続可能なアナログ入力端子３１，３２，３３，３５，３７と、２台までの外部機器とデジタル接続可能なＩＥＥＥ１３９４端子３４，３６とを有する。このアナログ入力端子３１，３２，３３，３５，３７はそれぞれ、ＯＳＤ表示画面上で、「ビデオ１」，「ビデオ２」，「コンポーネントビデオ１」，「コンポーネントビデオ２」，「コンポーネントビデオ３」の項目で表示される。
上記ＴＶと接続される外部機器の概略構成を、第１３図に示す。
第１３図に示す外部機器は、ユーザからの指示を受信する受信手段７１と、ＴＶや他の外部機器とデータのやり取りを行うＩ／Ｆ部７５と、上記Ｉ／Ｆ部７５を介して受け取ったデータを記憶する記憶手段７２と、上記Ｉ／Ｆ部７５を介して受け取ったデータ、あるいは上記記憶手段７２に記憶されているデータに対し所定の処理を施す信号処理手段７４と、ユーザからの指示に従って各機能ブロックを制御する制御手段７３とを備えている。外部機器としては、例えば、ＶＴＲやＤＶＨＳなどの録画再生機器が挙げられる。
次に、これらＴＶと外部機器とを接続し、データ再生を行う動作について説明する。
ユーザが所望の外部機器に対し、該外部機器専用のリモコン等を用いてデータ再生を指示すると、上記外部機器側では、記憶手段７２に記憶されているデータを読み出し、信号処理手段７４にて所定の処理を施し再生データとしてＩ／Ｆ部７５を介してＴＶ側に伝送する。
ＴＶ側では、上記外部機器から伝送されてきた再生データをＩ／Ｆ部３０を介して受信すると、信号処理手段５０にて所定の処理を施した後、表示出力手段６０にて表示出力する。
このようにして、ユーザが所望の外部機器に記憶されているデータを再生し視聴することができる。
ところで、上記従来のＴＶは、ＤＶＨＳに記憶されている再生データを再生する場合、ＩＥＥＥ１３９４ラインを介して上記再生データを受け取っている。このＩＥＥＥ１３９４ラインは、映像・音声などの圧縮ストリームをパケット伝送することはできるが、例えば、ＤＶＨＳの操作メニューなどのＯＳＤ（Ｏｎ  Ｓｃｒｅｅｎ  Ｄｉｓｐｌａｙ）データをＩＥＥＥ１３９８４で圧縮ストリームとして伝送することは困難である。このため、このようなＯＳＤメニューをＤＶＨＳ側からＴＶに伝送する場合は、ＴＶ側では、切替手段４０によりＩＥＥＥ１３９４ラインからアナログラインに切り替える必要がある。
しかし、ＴＶ側では、ＩＥＥＥ１３９４ラインを介して接続されている外部機器については、ＩＥＥＥ１３９４ラインで繋いだ時点で当該外部機器を自動認識することができるが、アナログ映像信号入力端子を介して接続されている外部機器については、アナログラインで繋ぐだけでは当該外部機器を自動認識することができないので、外部機器に使用されているＩＥＥＥ１３９４ライン及びアナログラインを、該外部機器の動作に応じて切替えるためには、どのアナログ映像信号入力端子が、どの外部機器にアナログラインを介して繋がれているのかを認識させなければならない。つまり、ユーザはリモコン等を操作して、アナログラインで繋がれている外部機器をＴＶ側に認識させるためのアナログ接続設定を、予め行う必要があった。
以下に、従来のアナログ接続設定について説明する。
まず、ユーザはアナログ接続設定を行うために、第１５（ａ）図に示すようなアナログ接続設定初期画面をＯＳＤ表示する。この際、ＴＶ側では、デイジーチェーン接続されている場合も含め、ＩＥＥＥ１３９４ラインで接続されている外部機器全てを自動認識してＯＳＤ表示を行う。現段階では、アナログ接続設定をしていない状態であるため、項目「ＤＶＨＳ１」、「ＤＶＨＳ２」、「ＤＶＨＳ３」はそれぞれ、アナログ接続設定をしていない状態を示す項目「しない」が表示されている。
次に、ユーザはリモコン等を操作して、第１５（ｃ）図のように、アナログ接続設定の状態を示す項目を順に切り換えていき、アナログ接続設定を行う。すなわち、ＤＶＨＳ１は、アナログ入力端子３３とアナログラインで接続されているので、項目「ＤＶＨＳ１」については「コンポーネントビデオ１」を選択する。ＤＶＨＳ２は、アナログ入力端子３５とアナログラインで接続されているので、項目「ＤＶＨＳ２」については「コンポーネントビデオ２」を選択する。ＤＶＨＳ３は、アナログ入力端子３７とアナログラインで接続されているので、項目「ＤＶＨＳ３」については「コンポーネントビデオ３」を選択する。選択操作が終了すると、第１５（ｂ）図示すＯＳＤ表示画面が表示されるので、ユーザはアナログ接続設定を終了する。
このように、ユーザがリモコンを操作するなど手動によりアナログ接続設定を予め行っておくことで、ＤＶＨＳの再生映像がデジタルからアナログに切り替わったときに、切替手段４０は、自動的にＩＥＥＥ１３９４ラインからアナログラインに切替えるため、ユーザは連続して視聴することができる。
しかしながら、上記従来の構成では、アナログ接続設定をＯＳＤ画面上で行う場合、第１５（ｃ）図に示すように、順次リモコン等の操作ボタンにより切り換えて選択することは、ユーザにとって大変煩わしい操作であり、面倒である。また、このような設定は、第１４図に示すようなバックパネルのケーブルの接続状況をユーザ自身が確認しながら行わなければならず、混乱しやすく間違える可能性があった。
このような問題を解決するものが、特開２００２−１８５８７４号公報に開示されている。この公報には、ＴＶ側からＩＥＥＥ１３９４端子を介して外部機器の電源をｏｎ／ｏｆｆ制御する送信コマンドを出力し、アナログ入力端子にて上記外部機器から返信されたアナログ映像信号の同期信号を検出することにより、どのアナログ入力端子がどの外部機器と接続されているのかを認識し、アナログ接続設定を自動的に行うことのできる技術が記載されている。
ところが、上記アナログ接続設定を行うためには、ＴＶ側に同期信号検出回路が必要であり、回路規模が大きく、コストもかかる、という問題が生じていた。
また、上記アナログ接続設定は、設定の開始から終了までにある程度の時間がかかっていた。つまり、外部機器側では、ＴＶ側からＩＥＥＥ１３９４ラインで電源ｏｎの指示を受け取ると、マイコン系の電源をｏｎにし、各回路ブロックの電源ｏｎを指令すると、信号処理系の電源がｏｎとなる。その後、同期信号をＴＶ側に出力するため、電源ｏｎの指示を受け取ってから同期信号を出力するまでに時間がかかる。その結果、アナログ接続設定の時間も長くなってしまい、その間、ユーザを待たすこととなっていた。
また、上記アナログ接続設定では、同期信号の検出によりアナログ接続端子の識別を行っているため、複数の外部機器が接続されている場合、複数の外部機器全てのアナログ接続設定を同時に行うことができなかった。さらに、ＩＥＥＥ１３９４ラインでデイジーチェーンされている外部機器については、従来のように、ユーザが手動で設定しなければならなかった。
また、上記公報に記載の技術では、外部機器が、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ライン等のデジタルラインと、ＩＥＥＥ１３９４ラインとで接続されている場合、外部機器から出力されるデジタルデータには同期信号がないため、同期信号のパターンを検出する専用の回路が必要で、装置全体が大きくなりコストがかかる、という問題が生じていた。また、ＨＤＭＩラインなどのデジタルラインは、ＩＥＥＥ１３９４ラインのように自動認識することができないため、上記アナログラインと同様、ＴＶ側に、どの外部機器にどのデジタルラインが接続されているかを認識させるためのデジタル設定を行わなければならず、設定にも時間がかかる、という問題が生じていた。
本発明は、上記問題点を解決するためになされたものであり、簡単な回路構成で、アナログ／デジタル接続設定を自動的、かつ短時間で行うことができ、ユーザの操作性を大きく向上させることのできるテレビジョン受像機、及び外部機器を提供することを目的とする。
【発明の開示】
本発明の請求の範囲第１項に記載のテレビジョン受像機は．複数の外部機器が、それぞれＩＥＥＥ１３９４ライン及びアナログラインを介して接続されるテレビジョン受像機であって、上記複数の各外部機器に対し、該外部機器に接続されたＩＥＥＥ１３９４ラインを介して順次同じ送信コマンドを送信するコマンド送信手段と、上記各外部機器から上記各送信コマンドに応答して発せられる応答コマンドの伝送に使用されたアナログラインを、上記各アナログラインに接続されているアナログ映像信号入力端子、またはアナログ音声信号入力端子のＤＣレベルをモニタすることにより識別し、上記各外部機器に使用されたＩＥＥＥ１３９４ライン、及びアナログラインを、上記各外部機器の動作に応じて自動的に切替える切替制御手段とを備えたものである。
これにより、従来必要であった同期信号検出回路が不要となるため、回路構成を簡単にすることができるとともに、外部機器がデイジーチェーン接続されている場合にも自動的、かつ短時間でアナログ接続設定をすることができ、ユーザの操作性を向上させることができる。
また、本発明の請求の範囲第２項に記載のテレビジョン受像機は、複数の外部機器が、それぞれＩＥＥＥ１３９４ライン及びアナログラインを介して接続されるテレビジョン受像機であって、上記複数の各外部機器に対し、該外部機器に接続されたＩＥＥＥ１３９４ラインを介して上記各外部機器毎に特性の異なる各送信コマンドを送信するコマンド送信手段と、上記各外部機器から上記各送信コマンドに応答して発せられる応答コマンドの伝送に使用されたアナログラインを識別し、上記各外部機器に使用されたＩＥＥＥ１３９４ライン、及びアナログラインを、上記各外部機器の動作に応じて自動的に切替える切替制御手段と、を備えたものである。
これにより、デイジーチェーン接続されている外部機器も含め、全ての外部機器のアナログ接続設定を一度に短時間で行うことができ、ユーザの操作性が向上する。
また、本発明の請求の範囲第３項に記載のテレビジョン受像機は、請求の範囲第１項に記載のテレビジョン受像機において、上記送信コマンドは、上記外部機器に対しての電源投入または遮断、ないしはその繰り返しであることを特徴とするものである。
これにより、従来必要であった同期信号検出回路が不要となるため、回路構成を簡単にすることができる。
また、本発明の請求の範囲第４項に記載のテレビジョン受像機は、請求の範囲第２項に記載のテレビジョン受像機において、上記送信コマンドは、上記外部機器に対しての電源投入または遮断、ないしはその繰り返しであり、上記コマンド送信手段は、外部機器毎に、ｏｎ時間あるいは、ｏｎ／ｏｆｆ制御回数の異なる送信コマンドを送信するものである。
これにより、従来必要であった同期信号検出回路が不要となるため、回路構成を簡単にすることができる。
また、本発明の請求の範囲第５項に記載のテレビジョン受像機は、請求の範囲第２項に記載のテレビジョン受像機において、上記各アナログラインが接続されている端子は、アナログ映像信号入力端子、またはアナログ音声信号入力端子であるものである。
これにより、簡単な回路構成で、アナログ接続設定を自動的、かつ短時間で行うことができ、ユーザの操作性を大きく向上させることのできるテレビジョン受像機を実現可能である。
また、本発明の請求の範囲第６項に記載のテレビジョン受像機は、請求の範囲第５項に記載のテレビジョン受像機において、上記切替制御手段は、上記アナログ映像信号入力端子、または上記アナログ音声信号入力端子のＤＣレベルをモニタすることにより、上記アナログラインの識別を行うものである。
これにより、従来必要であった同期信号検出回路が不要となるため、回路構成を簡単にすることができる。
また、本発明の請求の範囲第７項に記載のテレビジョン受像機は、外部機器が、ＩＥＥＥ１３９４ライン及びデジタルラインを介して接続されるテレビジョン受像機であって、上記外部機器に対し、上記ＩＥＥＥ１３９４ラインを介して送信コマンドを送信するコマンド送信手段と、上記外部機器から上記送信コマンドに応答して発せられる応答コマンドの伝送に使用されたデジタルラインを識別し、上記外部機器に使用されたＩＥＥＥ１３９４ライン、及びデジタルラインを、上記外部機器の動作に応じて切替える切替制御手段と、を備えたものである。
これにより、従来必要であったデジタル接続設定専用の同期信号パターン検出回路が不要となるため、回路構成を簡単にすることができるとともに、ＩＥＥＥ１３９４ライン及びデジタルラインで接続されている外部機器のデジタル接続設定を自動的、かつ短時間で行うことができ、ユーザの操作性を向上させることができる。
また、本発明の請求の範囲第８項に記載のテレビジョン受像機は、複数の外部機器が、それぞれＩＥＥＥ１３９４ライン及びデジタルラインを介して接続されるテレビジョン受像機であって、上記複数の各外部機器に対し、該外部機器に接続されたＩＥＥＥ１３９４ラインを介して順次同じ送信コマンドを送信するコマンド送信手段と、上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切替える切替制御手段と、を備えたものである。
これにより、デジタル接続設定専用の同期信号パターン検出回路が不要となるため、回路構成を簡単にすることができるとともに、ＩＥＥＥ１３９４ラインとデジタルラインで接続されている複数の外部機器のデジタル接続設定を自動的に行うことができ、ユーザの操作性を向上させることができる。
また、本発明の請求の範囲第９項に記載のテレビジョン受像機は、複数の外部機器が、それぞれＩＥＥＥ１３９４ライン及びデジタルラインを介して接続されるテレビジョン受像機であって、上記複数の各外部機器に対し、該外部機器に接続されたＩＥＥＥ１３９４ラインを介して上記各外部機器毎に特性の異なる各送信コマンドを送信するコマンド送信手段と、上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切替える切替制御手段と、を備えたものである。
これにより、デイジーチェーン接続されている外部機器も含め、全ての外部機器のデジタル接続設定を一度に短時間で行うことができ、ユーザの操作性が向上する。
また、本発明の請求の範囲第１０項に記載のテレビジョン受像機は、請求の範囲第８項に記載のテレビジョン受像機において、上記送信コマンドは、上記外部機器に対しての電源投入または遮断、ないしはその繰り返しであることを特徴とするものである。
これにより、従来必要であった同期信号検出回路が不要となるため、回路構成を簡単にすることができる。
また、本発明の請求の範囲第１１項に記載のテレビジョン受像機は、請求の範囲第９項に記載のテレビジョン受像機において、上記送信コマンドは、上記外部機器に対しての電源投入または遮断、ないしはその繰り返しであり、上記コマンド送信手段は、外部機器毎に、ｏｎ時間あるいは、ｏｎ／ｏｆｆ制御回数の異なる送信コマンドを送信するものである。
これにより、従来必要であった同期信号検出回路が不要となるため、回路構成を簡単にすることができる。
また、本発明の請求の範囲第１２項に記載のテレビジョン受像機は、請求の範囲第８項または第９項に記載のテレビジョン受像機において、上記各デジタルラインが接続されている端子は、ＨＤＭＩ端子であるものである。
これにより、簡単な回路構成で、デジタル接続設定を自動的、かつ短時間で行うことができ、ユーザの操作性を大きく向上させることのできるテレビジョン受像機を実現可能である。
また、本発明の請求の範囲第１３項に記載のテレビジョン受像機は、請求の範囲第１２項に記載のテレビジョン受像機において、上記切替制御手段は、上記ＨＤＭＩ端子のＤＣレベルをモニタすることにより、上記デジタルラインの識別を行うものである。
これにより、従来必要であった同期信号検出回路が不要となるため、回路構成を簡単にすることができる。
また、本発明の請求の範囲第１４項に記載のテレビジョン受像機は、請求の範囲第１２項に記載のテレビジョン受像機において、上記コマンド送信手段は、上記送信コマンドをＩＥＥＥ１３９４ラインを介して外部機器に送信し、上記切替制御手段は、上記外部機器より上記送信コマンドに応答して発せられる機器制御信号の信号レベル、または機器制御信号の応答コマンドをモニタすることにより、上記デジタルラインの識別を行うものである。
これにより、従来必要であった同期信号検出回路が不要となるため、回路構成を簡単にすることができる。
また、本発明の請求の範囲第１５項に記載の外部機器は、ＩＥＥＥ１３９４ライン及びアナログラインを介してテレビジョン受像機に接続される外部機器であって、上記テレビジョン受像機から上記ＩＥＥＥ１３９４ラインを介して伝送されてきた送信コマンドを検出し、該送信コマンドに対する応答コマンドを上記アナログラインを介して上記テレビジョン受像機に出力する検出手段を備えたものである。
これにより、簡単な回路構成で、アナログ接続設定を自動的に行うことのできる再生システムを提供することができる。
また、本発明の請求の範囲第１６項に記載の外部機器は、ＩＥＥＥ１３９４ライン及びデジタルラインを介してテレビジョン受像機に接続される外部機器であって、上記テレビジョン受像機から上記ＩＥＥＥ１３９４ラインを介して伝送されてきた送信コマンドを検出し、該送信コマンドに対する応答コマンドを上記デジタルラインを介して上記テレビジョン受像機に出力する検出手段を備えたものである。
これにより、簡単な回路構成で、デジタル接続設定を自動的に行うことのできる再生システムを提供することができる。
【図面の簡単な説明】  第１図は、本発明の実施の形態１によるテレビジョン受像機、及び該テレビジョン受像機に接続されている外部機器を示す図である。
第２図は、上記実施の形態１のテレビジョン受像機における、アナログ接続自動設定方法を説明するための図である。
第３図は、上記実施の形態１のテレビジョン受像機における、アナログ接続自動設定方法を説明するための図である。
第４図は、本発明の実施の形態２によるテレビジョン受像機、及び該テレビジョン受像機に接続されている外部機器を示す図である。
第５図は、上記実施の形態２のテレビジョン受像機における、デジタル接続自動設定方法を説明するための一例を示す図である。
第６図は、上記実施の形態２のテレビジョン受像機における、デジタル接続自動設定方法を説明するための図である。
第７図は、本発明のテレビジョン受像機における、制御手段の構成を示すブロック図である。
第８図は、本発明の外部機器の概略構成を示すブロック図である。
第９図は、本発明のテレビジョン受像機及び外部機器の具体例を示す図である。
第１０図は、本発明のテレビジョン受像機及び外部機器の具体例を示す図である。
第１１図は、従来のテレビジョン受像機、及び該テレビジョン受像機に接続されている外部機器を示す図である。
第１２図は、従来のテレビジョン受像機における、制御手段の構成を示すブロック図である。
第１３図は、従来の外部機器の概略構成を示すブロック図である。
第１４図は、従来のテレビジョン受像機のバックパネル端子の一例を示す図である。
第１５（ａ）図は、従来のテレビジョン受像機において、アナログ接続設定を行う場合に表示される、アナログ接続設定初期画面を示す図である。
第１５（ｂ）図は、従来のテレビジョン受像機において、アナログ接続設定を終了した場合に表示される、アナログ接続設定終了画面を示す図である。
第１５（ｃ）図は、従来におけるテレビジョン受像機において、アナログ接続設定をする際にＯＳＤ表示される設定項目を示す図である。
【発明を実施するための最良の形態】  以下、本発明の実施の形態を、図面を参照しながら説明する。
（実施の形態１）
第１図は、本発明の実施の形態１によるテレビジョン受像機の概略構成を示す図である。
テレビジョン受像機（ＴＶ）は、受信手段１００と、Ｉ／Ｆ部３００と、信号処理手段５００と、表示出力手段６００と、コマンド送信手段２０２と、切替制御手段７００とを備えたものである。
上記受信手段１００は、ユーザからの指示を受信する。
上記Ｉ／Ｆ部３００は、外部機器とデータのやり取りを行う。この上記Ｉ／Ｆ部３００は、アナログ映像信号入力端子であるコンポーネントビデオ端子３０１，３０３，３０５と、ＩＥＥＥ１３９４端子３０２，３０４とを有している。ここでは、上記コンポーネントビデオ端子３０１，３０３，３０５のそれぞれには、ＤＶＨＳ１ａ、ＤＶＨＳ２ａ，ＤＶＨＳ３ａがアナログ接続されている。また、上記ＩＥＥＥ１３９４端子３０２，３０４には、ＤＶＨＳ１ａ，ＤＶＨＳ２ａがデジタル接続されている。なお、上記ＤＶＨＳ２ａは、チューナを内蔵しており、放送波を受信可能なものとする。上記ＤＶＨＳ３ａは、上記ＤＶＨＳ１ａとＩＥＥＥ１３９４ラインでデイジーチェーン接続されており、ＴＶは、ＩＥＥＥ１３９４端子３０２を介してＤＶＨＳ１ａ、ＤＶＨＳ３ａの両方と通信可能である。
上記信号処理手段５００は、外部機器から上記Ｉ／Ｆ部３００を介して受け取った伝送データに所定の処理を施す。
上記表示出力手段６００は、上記信号処理手段５００にて所定の処理が施されたデータを表示出力する。
上記コマンド送信手段２０２は、外部機器に対し、送信コマンドを送信する。
上記切替制御手段７００は、外部機器から上記送信コマンドに応答して発せられる応答コマンドの伝送に使用されたアナログ入力端子を、上記Ｉ／Ｆ部３００が有する複数のアナログ入力端子のＤＣレベルをモニタすることにより識別し、該外部機器に使用されたＩＥＥＥ１３９４ライン及びアナログラインを、該外部機器の動作に応じて切り替えるものである。この切替制御手段７００は、上記受信手段１００にて受信したユーザからの指示内容に基づいて各機能ブロックを制御する制御手段２００と、上記Ｉ／Ｆ部３００から信号処理手段５００へのデータ出力経路を切り替える切替手段４００とよりなるものである。
上記制御手段２００の詳細な構成図を第７図に示す。
この制御手段２００は、ユーザからの指示に従って設定を行い、設定情報を記憶する設定手段２０１と、外部機器から上記送信コマンドに応答して発せられる応答コマンドの伝送に使用されたアナログラインを識別する識別手段２０３と、上記外部機器に使用されたＩＥＥＥ１３９４ライン及びアナログラインを、該外部機器の動作に応じて切替えるための切替信号を出力するセレクタ制御手段２０４と、上記設定情報に従って信号処理制御信号を出力する信号処理制御手段２０５と、上記設定情報に従って表示出力制御信号を出力する表示出力制御手段２０６とを有している。また、上記設定手段２０１は、ユーザからのアナログ接続設定の指示を受信した場合、上記コマンド送信手段２０２に対し、送信コマンドを出力するよう指示する。
第８図は、本発明のＴＶに接続される外部機器の概略構成を示す図である。
第８図に示す外部機器は、ユーザからの指示を受信する受信手段７０１と、ＴＶや他の外部機器とデータのやり取りを行うＩ／Ｆ部７０５と、ＩＥＥＥ１３９４ラインを介してＴＶ側から伝送されてきた送信コマンドを検出する検出手段７０６と、上記Ｉ／Ｆ部７０５を介して受け取ったデータを記憶する記憶手段７０２と、上記Ｉ／Ｆ部７０５を介して受け取ったデータ、あるいは上記記憶手段７０２に記憶されているデータに対し所定の処理を施す信号処理手段７０４と、ユーザからの指示に従って各機能ブロックを制御する制御手段７０３と、を備えたものである。外部機器としては、ＤＶＨＳ、ＤＶＤレコーダ、ブルーレイディスクレコーダ（ＢＤレコーダ）などのディジタルＡＶ機器が挙げられる。
次に、本実施の形態１におけるアナログ接続設定について第２図を用いて説明する。
ＴＶ側では、まず、制御手段２００のコマンド送信手段２０２からＤＶＨＳ１ａに対し、ＩＥＥＥ１３９４端子３０２を介して電源ｏｎ／ｏｆｆコマンドＡ１〜Ａ３を送信コマンドとして送信する。
ＤＶＨＳ１ａ側では、上記電源ｏｎ／ｏｆｆコマンドＡ１〜Ａ３の受信により電源ｏｎ／ｏｆｆ制御されたアナログｐｉｎ出力にＤＣレベル変動Ｂ１〜Ｂ３が発生し、このＤＣレベル変動Ｂ１〜Ｂ３を応答コマンドとしてＴＶ側にアナログラインを介して伝送される。
ＴＶ側では、上記ＤＶＨＳ１ａからの応答コマンドの受信により、コンポーネントビデオ端子３０１にＤＣレベル変動Ｃ１〜Ｃ３が発生する。このＤＣレベル変動Ｃ１〜Ｃ３を、識別手段２０３で検出して２値化し、上記ＤＣレベル変動のｏｎ／ｏｆｆ（以下、ｏｎはＤＣレベルが高い状態、ｏｆｆはＤＣレベルが低い状態を示す）の回数およびｏｎ時間を、上記送信コマンドと比較する。比較の結果、上記送信コマンドＡ１〜Ａ３と上記ＤＣレベル変動Ｃ１〜Ｃ３を二値化した信号とが一致していると判断した場合には、上記応答コマンドＢ１〜Ｂ３の伝送に使用されたコンポーネントビデオ端子３０１がＤＶＨＳ１ａとアナログ接続されていることを認識する。
次に、ＴＶ側からＤＶＨＳ２ａに対し、上記ＤＶＨＳ１ａに送信した送信コマンドと同一の送信コマンドＡ１〜Ａ３をＩＥＥＥ１３９４端子３０４を介して送信し、各アナログラインが接続されているコンポーネントビデオ端子３０１，３０３，３０５のＤＣレベルをモニタすることにより、上記ＤＶＨＳ２ａから上記送信コマンドＡ１〜Ａ３に応答して発せられる応答コマンドＢ１〜Ｂ３の伝送に使用されたアナログラインを識別し、コンポーネントビデオ端子３０３がＤＶＨＳ２ａとアナログ接続されていることを認識する。
同様に、ＴＶ側からＤＶＨＳ３ａに対し、上記ＤＶＨＳ１ａに送信した送信コマンドと同一の送信コマンドＡ１〜Ａ３をＩＥＥＥ１３９４端子３０２を介して送信し、各アナログラインが接続されているコンポーネントビデオ端子３０１，３０３，３０５のＤＣレベルをモニタすることにより、上記ＤＶＨＳ３ａから上記送信コマンドＡ１〜Ａ３に応答して発せられる応答コマンドＢ１〜Ｂ３の伝送に使用されたアナログラインを識別し、コンポーネントビデオ端子３０５がＤＶＨＳ３ａにアナログ接続されていることを認識する。
このようにして、デイジーチェーン接続されているＤＶＨＳ３ａも含めた、ＩＥＥＥ１３９４ラインで接続されている全ての外部機器のアナログ接続設定を自動的に行う。このアナログ接続設定が終了した後、切替手段４００では、上記各ＤＶＨＳ１ａ〜３ａに使用されたＩＥＥＥ１３９４ライン及びアナログラインを、該各ＤＶＨＳ１ａ〜３ａの動作に応じて切り替える。
このような実施の形態１によるテレビジョン受像機では、ＤＶＨＳ１ａ〜３ａが、それぞれＩＥＥＥ１３９４ライン及びアナログラインを介して接続されている場合、上記各アナログラインが接続されているコンポーネントビデオ端子のＤＣレベルをモニタし、上記各ＤＶＨＳ１ａ〜３ａから上記各送信コマンドに応答して発せられる応答コマンドの伝送に使用されたアナログラインを識別し、上記各ＤＶＨＳ１ａ〜３ａに使用されたＩＥＥＥ１３９４ライン及びアナログラインを、該各ＤＶＨＳ１ａ〜３ａの動作に応じて自動的に切り替えるようにしたので、従来必要であった同期信号検出回路が不要となり、回路構成を簡単にすることができるとともに、デイジーチェーン接続されている外部機器も含め、全てのＩＥＥＥ１３９４ラインで接続されている外部機器のアナログ接続設定を、自動的、かつ短時間で行うことができ、ユーザの操作性を大幅に向上させることができる。
なお、本実施の形態１では、ＴＶ側から複数の各外部機器に対し、同一の送信コマンドを順次送信してアナログ接続設定を行う場合について説明したが、複数の外部機器毎に特性の異なる各送信コマンドを送信するようにしても良い。具体的には、ＤＶＨＳ１ａに対しては、第２図に示す電源ｏｎ／ｏｆｆコマンドＡ１〜Ａ３を送信コマンドとして送信し、ＤＶＨＳ２ａに対しては、第３図に示すように、電源ｏｎ時間の異なる電源ｏｎ／ｏｆｆコマンドＡ４〜Ａ６を送信コマンドとして送信するようにすれば、ＴＶ側で各外部機器から出力された応答コマンドのｏｎ時間を上記各送信コマンドのｏｎ時間と比較することにより外部機器毎の識別が可能となり、デイジーチェーン接続されている外部機器も含めた、全ての外部機器について一度にアナログ接続設定を行うことができる。また、特性の異なる送信コマンドとして、電源ｏｎ／ｏｆｆ制御回数を変えたものを使用しても良い。
また、本実施の形態１では、アナログラインがアナログ映像信号入力端子に接続されている場合について説明したが、アナログラインがアナログ音声信号入力端子に接続されている場合も同様にして、アナログ接続設定を行うことができる。
（実施の形態２）
第４図は、本発明の実施の形態２によるテレビジョン受像機の構成を示す図である。図中において、第１図と同一符号は同一のものを示す。
上記実施の形態１と異なる点は、上記実施の形態１では、テレビジョン受像機が、複数のＩＥＥＥ１３９４端子及びアナログ入力端子を有していたが、本実施の形態２では、複数のＩＥＥＥ１３９４端子及びＨＤＭＩ端子を有する点である。
上記Ｉ／Ｆ部３００は、デジタル入力端子であるＨＤＭＩ端子３１１，３１３，３１５と、デジタル端子であるＩＥＥＥ１３９４端子３１２，３１４とを有している。
ここでは、外部機器としてブルーレイディスクレコーダ（ＢＤレコーダ）１ｂ、２ｂ、３ｂが接続されているものとする。なお、ＢＤレコーダ３ｂは、ＢＤレコーダ１ｂとＩＥＥＥ１３９４ラインでデイジーチェーン接続されており、ＢＤレコーダ１ｂ、及びＴＶの両方とデータのやり取りを行うことが可能である。従って、ＴＶは、ＢＤレコーダ１ｂ、ＢＤレコーダ３ｂの両方とＩＥＥＥ１３９４ラインを介して通信可能である。また、ＢＤレコーダ２ｂはチューナを内蔵しており、放送波を受信可能である。
次に、本実施の形態２における、デジタル接続設定について第５図を用いて説明する。
ＴＶ側では、まず、制御手段２００のコマンド送信手段２０２からＢＤレコーダ１ｂに対し、ＩＥＥＥ１３９４端子３１２を介して電源ｏｎ／ｏｆｆコマンドＡ１１〜Ａ１３を送信コマンドとして送信する。
ＢＤレコーダ１ｂ側では、上記電源ｏｎ／ｏｆｆコマンドＡ１１〜Ａ１３の受信により電源ｏｎ／ｏｆｆ制御されたＨＤＭＩ端子のＨｏｔ−Ｐｌｕｇ−Ｄｅｔｅｃｔ（ＨＰＤ）ラインにＤＣレベル変動Ｂ１１〜Ｂ１３が発生し、このＤＣレベル変動Ｂ１１〜Ｂ１３が応答コマンドとしてＴＶ側にＨＤＭＩラインを介して伝送される。
ＴＶ側では、上記ＢＤレコーダ１ｂからの応答コマンドの受信により、ＨＤＭＩ端子３１１にＤＣレベル変動Ｃ１１〜Ｃ１３が発生する。このＤＣレベル変動Ｃ１１〜Ｃ１３を、識別手段２０３で検出して２値化し、上記ＤＣレベル変動のｏｎ／ｏｆｆ回数およびｏｎ時間を、上記送信コマンドと比較する。比較の結果、上記送信コマンドＡ１１〜Ａ１３と上記ＤＣレベル変動Ｃ１１〜Ｃ１３を二値化した信号とが一致していると判断した場合には、上記応答コマンドＢ１１〜Ｂ１３の伝送に使用されたＨＤＭＩ端子３１１がＢＤレコーダ１ｂとデジタル接続されていることを認識する。
次に、ＴＶ側からＢＤレコーダ２ｂに対し、上記ＢＤレコーダ１ｂに送信した送信コマンドと同一の送信コマンドＡ１１〜Ａ１３をＩＥＥＥ１３９４端子３１４を介して送信し、上記ＨＤＭＩラインが接続されているＨＤＭＩ端子３１１，３１３，３１５のＤＣレベルをモニタすることにより、上記ＢＤレコーダ２ｂから上記送信コマンドＡ１１〜Ａ１３に応答して発せられる応答コマンドＢ１〜Ｂ３の伝送に使用されたＨＤＭＩラインを識別し、ＨＤＭＩ端子３１３がＢＤレコーダ２ｂとデジタル接続されていることを認識する。
同様に、ＴＶ側からＢＤレコーダ３ｂに対し、上記ＢＤレコーダ１ｂに送信した送信コマンドと同一の送信コマンドＡ１１〜Ａ１３をＩＥＥＥ１３９４端子３１２を介して送信し、各ＨＤＭＩラインが接続されているＨＤＭＩ端子３１１，３１３，３１５のＤＣレベルをモニタすることにより、上記ＢＤレコーダ３ｂから上記送信コマンドＡ１１〜Ａ１３に応答して発せられる応答コマンドＢ１１〜Ｂ１３の伝送に使用されたＨＤＭＩラインを識別し、上記ＨＤＭＩ端子３１５がＢＤレコーダ３ｂとデジタル接続されていることを認識する。
このようにして、デイジーチェーン接続されているＢＤレコーダ３ｂも含めた、ＩＥＥＥ１３９４ラインで接続されている全ての外部機器のデジタル接続設定を自動的に行う。このデジタル接続設定が終了した後、切替手段４００では、上記各ＢＤレコーダ１ｂ〜３ｂに使用されたＩＥＥＥ１３９４ライン及びＨＤＭＩラインを、該各ＢＤレコーダ１ｂ〜３ｂの動作に応じて切り替える。すなわち、ＴＶ側では、通常のデータ伝送にはＨＤＭＩラインを使用し、ＢＤレコーダ側でデコード不能なストリーム等を伝送する場合にはＩＥＥＥ１３９４ラインを使用するよう切り替える。
このような、外部機器の動作に応じてＩＥＥＥ１３９４ラインとＨＤＭＩラインとを自動的に切り替える再生システムは、以下のような場合にも利用することができる。
例えば、第９図に示すように、再生課金システムが採用されている有料番組を視聴する場合である。ここでは、外部機器としてＨＤＤレコーダを用いている。
ＴＶ９００側のチューナ９０１、またはＨＤＤレコーダ９１０側のチューナ９１１で受信した番組データのうち、ユーザが所望の番組データを圧縮ストリームのまま、ＨＤＤ（ハードディスクドライブ）９１４に記録する。その後、ＨＤＤ９１４に記録されている記録データのうち、ユーザからの指示に従ってユーザが視聴したいデータを再生課金フラグ検出回路９１５に読み出す。このとき、再生課金フラグ検出回路９１５にて、再生しようとする再生データが有料番組のデータであるかどうかを判断する。
上記判断の結果、再生しようとする再生データに、再生課金フラグが検出されなかった場合（通常再生時）は、デマルチプレクス＆デコード回路９１６で分離・デコード処理を施した後、ＨＤＭＩラインＬ１でＴＶ９００側に伝送し、映像・音声信号処理及び出力装置９０７で所定の処理を施して表示出力する。これにより、ユーザは所望の再生データを視聴することができる。
一方、再生しようとする再生データに、再生課金フラグが検出された場合（再生課金対応データ再生時）、ＩＥＥＥ１３９４ラインＬ２でＴＶ９００側のデスクランブル回路９０４に伝送し、再生課金システム対応ＩＣカード９０３を用いてデスクランブル処理を行う。その後、デマルチプレクス＆デコード回路９０６で分離・デコード処理を施し、映像・音声信号処理及び出力装置９０７で所定の処理を施して表示出力する。これにより、ユーザは所望の再生データを視聴することができる。
このように、ＨＤＤレコーダ９１０のＨＤＤ９１４に記録されているデータのうち、再生課金対応データではない通常のデータを再生する場合は、ＨＤＭＩラインＬ１を使用してＴＶ９００側に伝送し、再生課金対応データを再生する場合は、ＩＥＥＥ１３９４ラインＬ２を使用してＴＶ９００側に伝送するよう、ＨＤＭＩラインＬ１とＩＥＥＥ１３９４ラインＬ３とを自動的に切り替えるようしたので、ＨＤＤ９１４に記録されている、通常のデータと再生課金対応データとを連続して再生することができる。
上記第９図に示した例以外に、第１０図に示すように、ＴＶ側のみ地上波デジタルチューナを搭載している場合もある。第１０図では、外部機器として、ＢＤレコーダを用いている。
ユーザが所望の番組を、ＴＶ１０００側のＢＳ／ＣＳデジタルチューナ１００１、あるいは地上波デジタルチューナ１００２で受信し視聴する場合は、それぞれ専用のデマルチプレクス及びデコード回路１００３，１００４で分離・デコード処理を施した後、映像・音声信号処理及び出力装置１００５で所定の処理を施して表示出力することにより、ユーザは所望の番組を視聴することができる。
また、ＴＶ１０００側のＢＳ／ＣＳデジタルチューナ１００１、地上波デジタルチューナ１００２、あるいは外部機器１０１０側のＢＳ／ＣＳデジタルチューナ１０１１で受信した番組データをＤＶＤ１０１３に記録しておき、ＤＶＤ１０１３に記録されているデータのうち、ユーザが所望のデータを再生する場合、ＤＶＤ１０１３から読み出した再生データの放送方式を、放送方式検出回路１０１４で判別する。
上記判別の結果、再生しようとする再生データがＢＳ／ＣＳチューナ１００１，１０１１で受信した番組データである場合、デマルチプレクス＆デコード回路１０１５で分離・デコード処理を施した後、ＨＤＭＩラインＬ４でＴＶ１０００側に伝送し、映像・音声信号処理及び出力装置１００５で所定の処理を施して表示出力する。これにより、ユーザは所望の再生データを視聴することができる。
一方、再生しようとする再生データが地上波デジタルチューナ１００２で受信した番組である場合、外部機器１０１０側には地上波デジタル対応のデマルチプレクス及びデコード回路が無いため、ＩＥＥＥ１３９４ラインＬ３でＴＶ１０００側に伝送し、専用のデマルチプレクス及びデコード回路１００４で分離・デコード処理を施し、映像・音声信号処理及び出力装置１００５で所定の処理を施して表示出力する。これにより、ユーザは所望の再生データを視聴することができる。
このように、外部機器１０１０側では、ＤＶＤ１０１３から読み出された再生データの放送方式に応じて、ＩＥＥＥ１３９４ラインＬ３とＨＤＭＩラインＬ４とを自動的に切り替えてＴＶ１０００側に伝送するようにしたので、ＤＶＤ１０１３に記録されている、地上波デジタルチューナで受信したデータと、ＢＳ／ＣＳチューナで受信したデータとを連続して再生することができる。
なお、ここでは、地上波デジタルチューナ１００２がＴＶ１０００側のみに搭載されていて、地上波デジタルチューナ１００２で受信した番組データを外部機器１０１０に記録し再生するときは、外部機器１０１０からＩＥＥＥ１３９４ラインＬ３を介してＴＶ１０００側に伝送し、ＴＶ１０００側でデコードする場合について説明したが、必ずしもこれに限定されるものではない。例えば、外部機器１０１０側でデコードできないデータを再生する場合は、無条件でＩＥＥＥ１３９４ラインで伝送するようにしても良い。他にも、ＴＶ１０００側と外部機器１０１０側のどちらにも同一のチューナが搭載されていて、予めＴＶ１０００と外部機器１０１０との間でどちら側でデコードするかを決めた上で、ＩＥＥＥ１３９４ラインとＨＤＭＩラインとを切り替えるようにしても良い。
このような実施の形態２によるテレビジョン受像機では、外部機器とＩＥＥＥ１３９４ライン及びＨＤＭＩラインを介して接続されている場合、上記外部機器に対し、上記ＩＥＥＥ１３９４ラインを介して送信コマンドを送信し、装備している全てのＨＤＭＩ端子３１１，３１３，３１５のＤＣレベルをモニタすることにより、上記外部機器から上記送信コマンドに応答して発せられる応答コマンドの伝送に使用されたＨＤＭＩ端子を識別するようにしたので、外部機器がデイジーチェーン接続されている場合にも自動的に、かつ短時間でデジタル接続設定を行うことができ、ユーザの操作性を向上させることができる。
また、本実施の形態２によるテレビジョン受像機では、外部機器に接続されているＩＥＥＥ１３９４ラインと該ＩＥＥＥ１３９４ラインに対応するＨＤＭＩラインとを確実に認識することができるので、例えば、再生課金システムを採用している場合や、外部機器側でデコード不可能なデータとデコード可能なデータとが混在しているストリームデータを再生する場合など、ＨＤＭＩラインとＩＥＥＥ１３９４ラインとの切り替えが必要な場合であっても、これらの切り替えを自動的かつ確実に切り替えることができ、ユーザは煩わしい操作入力をすることなく、視聴をすることができる。
さらに、本実施の形態２によるテレビジョン受像機では、複数の外部機器がＩＥＥＥ１３９４ライン及びＨＤＭＩラインを介して接続されている場合にも、同様にしてデジタル設定を行い、各外部機器に使用されているＩＥＥＥ１３９４ライン及びＨＤＭＩラインを、該各外部機器の動作に応じて自動的に切り替えることができるので、ユーザの操作性を向上させ、かつ安定した再生システムを提供することができる。
なお、本実施の形態２では、ＴＶ側から複数の各外部機器に対し、同一の送信コマンドを順次送信してデジタル設定を行う場合について説明したが、複数の外部機器毎に特性の異なる各送信コマンドを送信するようにしても良い。具体的には、ＢＤレコーダ１ｂに対しては、第５図に示すように、電源ｏｎ／ｏｆｆ回数が３回であるコマンドＡ１１〜Ａ１３を送信コマンドとして送信し、ＢＤレコーダ２ｂに対しては、第６図に示すように、電源ｏｎ／ｏｆｆ回数が２回のコマンドＡ１４〜Ａ１５を送信するようにすれば、ＴＶ側で各外部機器側から出力された応答コマンドのｏｎ／ｏｆｆ回数を比較することにより外部機器毎の識別が可能となり、デイジーチェーン接続されている外部機器も含めた、全ての外部機器について一度にデジタル接続設定を行うことができる。また、特性の異なる送信コマンドとして、電源ｏｎ時間を変えたものを使用しても良い。
また、本実施の形態２では、ＨＤＭＩ端子のＨｏｔ−Ｐｌｕｇ−ＤｅｔｅｃｔラインのＤＣレベルを検出する場合について説明したが、ＴＭＤＳ信号のＤＣレベル変動、ＴＭＤＳクロックチャンネルのクロックの有無、機器制御ラインのＤＣレベル変動、ＤＤＣ（Ｉ２Ｃ）ラインのＤＣレベル変動、のいずれかを検出するようにしても、同様の効果が得られる。
また、本実施の形態２では、送信コマンド・応答コマンドとして、電源ｏｎ／ｏｆｆコマンドを用いて、応答コマンドの伝送に使用されたデジタル入力端子の識別を行う場合について説明したが、送信コマンドとして特定パケットを送信し、外部機器側から特定のアクノリッジ信号（Ａｃｋ信号）を応答コマンドとして返信することにより、該応答コマンドの伝送に使用されたデジタル入力端子の識別を行うようにしても良い。特定パケットとしては、ＴＭＤＳ信号、機器制御信号、ＤＤＣ（Ｉ２Ｃ）信号等を用い、返信するＡｃｋ信号としては、ＴＭＤＳ信号の特定映像信号、機器制御信号の特定パターン、ＤＤＣ（Ｉ２Ｃ）信号の特定パターン等を用いても良い。
【産業上の利用可能性】  本発明にかかるテレビジョン受像機は、入力端子のＤＣレベル等を検出することにより複数の外部機器を識別し、各外部機器の動作に応じてＩＥＥＥ１３９４ラインと、アナログライン、もしくはデジタルラインとを自動的に切り替えることのできるテレビジョン受像機として有用である。
【図１】
2005015901.tif 000003
【図２】
2005015901.tif 000004
【図３】
2005015901.tif 000005
【図４】
2005015901.tif 000006
【図５】
2005015901.tif 000007
【図６】
2005015901.tif 000008
【図７】
2005015901.tif 000009
【図８】
2005015901.tif 000010
【図９】
2005015901.tif 000011
【図１０】
2005015901.tif 000012
【図１１】
2005015901.tif 000013
【図１２】
2005015901.tif 000014
【図１３】
2005015901.tif 000015
【図１４】
2005015901.tif 000016
2005015901.tif 000017
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
複数の外部機器が、それぞれＩＥＥＥ１３９４ライン及びアナログラインを介して接続されるテレビジョン受像機であって、
上記複数の各外部機器に対し、該外部機器に接続されたＩＥＥＥ１３９４ラインを介して順次同じ送信コマンドを送信するコマンド送信手段と、
上記各外部機器から上記各送信コマンドに応答して発せられる応答コマンドの伝送に使用されたアナログラインを、上記各アナログラインに接続されているアナログ映像信号入力端子、またはアナログ音声信号入力端子のＤＣレベルをモニタすることにより識別し、上記各外部機器に使用されたＩＥＥＥ１３９４ライン、及びアナログラインを、上記各外部機器の動作に応じて自動的に切替える切替制御手段とを備えた、
ことを特徴とするテレビジョン受像機。
【請求項２】
複数の外部機器が、それぞれＩＥＥＥ１３９４ライン及びアナログラインを介して接続されるテレビジョン受像機であって、
上記複数の各外部機器に対し、該外部機器に接続されたＩＥＥＥ１３９４ラインを介して上記各外部機器毎に特性の異なる各送信コマンドを送信するコマンド送信手段と、
上記各外部機器から上記各送信コマンドに応答して発せられる応答コマンドの伝送に使用されたアナログラインを識別し、上記各外部機器に使用されたＩＥＥＥ１３９４ライン、及びアナログラインを、上記各外部機器の動作に応じて自動的に切替える切替制御手段と、を備えた、
ことを特徴とするテレビジョン受像機。
【請求項３】
請求項１に記載のテレビジョン受像機において、
上記送信コマンドは、上記外部機器に対しての電源投入または遮断、ないしはその繰り返しである、
ことを特徴とするテレビジョン受像機。
【請求項４】
請求項２に記載のテレビジョン受像機において、
上記送信コマンドは、上記外部機器に対しての電源投入または遮断、ないしはその繰り返しであり、
上記コマンド送信手段は、外部機器毎に、ｏｎ時間あるいは、ｏｎ／ｏｆｆ制御回数の異なる送信コマンドを送信する、
ことを特徴とするテレビジョン受像機。
【請求項５】
請求項２に記載のテレビジョン受像機において、
上記各アナログラインが接続されている端子は、アナログ映像信号入力端子、またはアナログ音声信号入力端子である、
ことを特徴とするテレビジョン受像機。
【請求項６】
請求項５に記載のテレビジョン受像機において、
上記切替制御手段は、上記アナログ映像信号入力端子、または上記アナログ音声信号入力端子のＤＣレベルをモニタすることにより、上記アナログラインの識別を行う、
ことを特徴とするテレビジョン受像機。
【請求項７】
外部機器が、ＩＥＥＥ１３９４ライン及びデジタルラインを介して接続されるテレビジョン受像機であって、
上記外部機器に対し、上記ＩＥＥＥ１３９４ラインを介して送信コマンドを送信するコマンド送信手段と、
上記外部機器から上記送信コマンドに応答して発せられる応答コマンドの伝送に使用されたデジタルラインを識別し、上記外部機器に使用されたＩＥＥＥ１３９４ライン、及びデジタルラインを、上記外部機器の動作に応じて切替える切替制御手段と、を備えた、
ことを特徴とするテレビジョン受像機。
【請求項８】
複数の外部機器が、それぞれＩＥＥＥ１３９４ライン及びデジタルラインを介して接続されるテレビジョン受像機であって、
上記複数の各外部機器に対し、該外部機器に接続されたＩＥＥＥ１３９４ラインを介して順次同じ送信コマンドを送信するコマンド送信手段と、
上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切り替える切替制御手段と、を備えた、
ことを特徴とするテレビジョン受像機。
【請求項９】
複数の外部機器が、それぞれＩＥＥＥ１３９４ライン及びデジタルラインを介して接続されるテレビジョン受像機であって、
上記複数の各外部機器に対し、該外部機器に接続されたＩＥＥＥ１３９４ラインを介して上記各外部機器毎に特性の異なる各送信コマンドを送信するコマンド送信手段と、
上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切替える切替制御手段と、を備えた、
ことを特徴とするテレビジョン受像機。
【請求項１０】
請求項８に記載のテレビジョン受像機において、
上記送信コマンドは、上記外部機器に対しての電源投入または遮断、ないしはその繰り返しである、
ことを特徴とするテレビジョン受像機。
【請求項１１】
請求項９に記載のテレビジョン受像機において、
上記送信コマンドは、上記外部機器に対しての電源投入または遮断、ないしはその繰り返しであり、
上記コマンド送信手段は、外部機器毎に、ｏｎ時間あるいは、ｏｎ／ｏｆｆ制御回数の異なる送信コマンドを送信する、
ことを特徴とするテレビジョン受像機。
【請求項１２】
請求項８または請求項９に記載のテレビジョン受像機において、
上記各デジタルラインが接続されている端子は、ＨＤＭＩ端子である、
ことを特徴とするテレビジョン受像機。
【請求項１３】
請求項１２に記載のテレビジョン受像機において、
上記切替制御手段は、上記ＨＤＭＩ端子のＤＣレベルをモニタすることにより、上記デジタルラインの識別を行う、
ことを特徴とするテレビジョン受像機。
【請求項１４】
請求項１２に記載のテレビジョン受像機において、
上記コマンド送信手段は、上記送信コマンドをＩＥＥＥ１３９４ラインを介して外部機器に送信し、
上記切替制御手段は、上記外部機器より上記送信コマンドに応答して発せられる機器制御信号の信号レベル、または機器制御信号の応答コマンドをモニタすることにより、上記デジタルラインの識別を行う、
ことを特徴とするテレビジョン受像機。
【請求項１５】
ＩＥＥＥ１３９４ライン及びアナログラインを介してテレビジョン受像機に接続される外部機器であって、
上記テレビジョン受像機から上記ＩＥＥＥ１３９４ラインを介して伝送されてきた送信コマンドを検出し、該送信コマンドに対する応答コマンドを上記アナログラインを介して上記テレビジョン受像機に出力する検出手段を備えた、
ことを特徴とする外部機器。
【請求項１６】
ＩＥＥＥ１３９４ライン及びデジタルラインを介してテレビジョン受像機に接続される外部機器であって、
上記テレビジョン受像機から上記ＩＥＥＥ１３９４ラインを介して伝送されてきた送信コマンドを検出し、該送信コマンドに対する応答コマンドを上記デジタルラインを介して上記テレビジョン受像機に出力する検出手段を備えた、
ことを特徴とする外部機器。
【手続補正２】
【補正対象書類名】明細書
【補正対象項目名】全文
【補正方法】変更
【補正の内容】
【発明の詳細な説明】
【技術分野】
【０００１】
本発明は、テレビジョン受像機、及び該テレビジョン受像機にＩＥＥＥ１３９４ラインを介して接続されている外部機器に関するものである。
【背景技術】
【０００２】
近年、デジタル放送の普及により、テレビやＶＴＲなどのＡＶ機器のデジタル化が進んでおり、ＩＥＥＥ１３９４といったＡＶ用ネットワーク規格を利用するものが増えている。ＩＥＥＥ１３９４とは、デジタルＡＶ機器を相互に接続可能なデジタルインタフェースのことであり、これにより、ＡＶ機器同士がネットワークを構築し、お互いにＡＶストリームをやり取りすることができる。
【０００３】
このようなＩＥＥＥ１３９４を備えるテレビジョン受像機（ＴＶ）の概略構成を図１１に示す。
図１１に示すＴＶは、ユーザの入力情報を受信する受信手段１０と、上記入力情報に従って各機能ブロックを制御する制御手段２０と、外部機器とデータのやり取りを行うＩ／Ｆ部３０と、上記Ｉ／Ｆ部３０から信号処理手段５０へのデータ出力経路を切替える切替手段４０と、外部機器から受け取ったデータに所定の処理を施す信号処理手段５０と、上記所定の処理を施されたデータを表示出力する表示出力手段６０とを備えている。
【０００４】
上記制御手段２０は、図１２に示すように、ユーザからの入力情報に従って各種の設定指示を行うとともに、設定情報を記憶する設定手段２１と、上記設定手段２１の指示に従って切替信号を出力するセレクタ制御手段２２と、上記設定手段２１の指示に従って信号処理制御信号を出力する信号処理制御手段２３と、上記設定手段２１の指示に従って表示出力制御信号を出力する表示出力制御手段２４とを有するものである。
【０００５】
上記Ｉ／Ｆ部３０は、図１４に示すように、５台までの外部機器とアナログ接続可能なアナログ入力端子３１，３２，３３，３５，３７と、２台までの外部機器とデジタル接続可能なＩＥＥＥ１３９４端子３４，３６とを有する。このアナログ入力端子３１，３２，３３，３５，３７はそれぞれ、ＯＳＤ表示画面上で、「ビデオ１」，「ビデオ２」，「コンポーネントビデオ１」，「コンポーネントビデオ２」，「コンポーネントビデオ３」の項目で表示される。
【０００６】
上記ＴＶと接続される外部機器の概略構成を、図１３に示す。
図１３に示す外部機器は、ユーザからの指示を受信する受信手段７１と、ＴＶや他の外部機器とデータのやり取りを行うＩ／Ｆ部７５と、上記Ｉ／Ｆ部７５を介して受け取ったデータを記憶する記憶手段７２と、上記Ｉ／Ｆ部７５を介して受け取ったデータ、あるいは上記記憶手段７２に記憶されているデータに対し所定の処理を施す信号処理手段７４と、ユーザからの指示に従って各機能ブロックを制御する制御手段７３とを備えている。外部機器としては、例えば、ＶＴＲやＤＶＨＳなどの録画再生機器が挙げられる。
【０００７】
次に、これらＴＶと外部機器とを接続し、データ再生を行う動作について説明する。
ユーザが所望の外部機器に対し、該外部機器専用のリモコン等を用いてデータ再生を指示すると、上記外部機器側では、記憶手段７２に記憶されているデータを読み出し、信号処理手段７４にて所定の処理を施し再生データとしてＩ／Ｆ部７５を介してＴＶ側に伝送する。
【０００８】
ＴＶ側では、上記外部機器から伝送されてきた再生データをＩ／Ｆ部３０を介して受信すると、信号処理手段５０にて所定の処理を施した後、表示出力手段６０にて表示出力する。
このようにして、ユーザが所望の外部機器に記憶されているデータを再生し視聴することができる。
【０００９】
ところで、上記従来のＴＶは、ＤＶＨＳに記憶されている再生データを再生する場合、ＩＥＥＥ１３９４ラインを介して上記再生データを受け取っている。このＩＥＥＥ１３９４ラインは、映像・音声などの圧縮ストリームをパケット伝送することはできるが、例えば、ＤＶＨＳの操作メニューなどのＯＳＤ（Ｏｎ  Ｓｃｒｅｅｎ  Ｄｉｓｐｌａｙ）データをＩＥＥＥ１３９４で圧縮ストリームとして伝送することは困難である。このため、このようなＯＳＤメニューをＤＶＨＳ側からＴＶに伝送する場合は、ＴＶ側では、切替手段４０によりＩＥＥＥ１３９４ラインからアナログラインに切り替える必要がある。
【００１０】
しかし、ＴＶ側では、ＩＥＥＥ１３９４ラインを介して接続されている外部機器については、ＩＥＥＥ１３９４ラインで繋いだ時点で当該外部機器を自動認識することができるが、アナログ映像信号入力端子を介して接続されている外部機器については、アナログラインで繋ぐだけでは当該外部機器を自動認識することができないので、外部機器に使用されているＩＥＥＥ１３９４ライン及びアナログラインを、該外部機器の動作に応じて切替えるためには、どのアナログ映像信号入力端子が、どの外部機器にアナログラインを介して繋がれているのかを認識させなければならない。つまり、ユーザはリモコン等を操作して、アナログラインで繋がれている外部機器をＴＶ側に認識させるためのアナログ接続設定を、予め行う必要があった。
【００１１】
以下に、従来のアナログ接続設定について説明する。
まず、ユーザはアナログ接続設定を行うために、図１５（ａ）に示すようなアナログ接続設定初期画面をＯＳＤ表示する。この際、ＴＶ側では、デイジーチェーン接続されている場合も含め、ＩＥＥＥ１３９４ラインで接続されている外部機器全てを自動認識してＯＳＤ表示を行う。現段階では、アナログ接続設定をしていない状態であるため、項目「ＤＶＨＳ１」、「ＤＶＨＳ２」、「ＤＶＨＳ３」はそれぞれ、アナログ接続設定をしていない状態を示す項目「しない」が表示されている。
【００１２】
次に、ユーザはリモコン等を操作して、図１５（ｃ）のように、アナログ接続設定の状態を示す項目を順に切り換えていき、アナログ接続設定を行う。すなわち、ＤＶＨＳ１は、アナログ入力端子３３とアナログラインで接続されているので、項目「ＤＶＨＳ１」については「コンポーネントビデオ１」を選択する。ＤＶＨＳ２は、アナログ入力端子３５とアナログラインで接続されているので、項目「ＤＶＨＳ２」については「コンポーネントビデオ２」を選択する。ＤＶＨＳ３は、アナログ入力端子３７とアナログラインで接続されているので、項目「ＤＶＨＳ３」については「コンポーネントビデオ３」を選択する。選択操作が終了すると、図１５（ｂ）示すＯＳＤ表示画面が表示されるので、ユーザはアナログ接続設定を終了する。
【００１３】
このように、ユーザがリモコンを操作するなど手動によりアナログ接続設定を予め行っておくことで、ＤＶＨＳの再生映像がデジタルからアナログに切り替わったときに、切替手段４０は、自動的にＩＥＥＥ１３９４ラインからアナログラインに切替えるため、ユーザは連続して視聴することができる。
【００１４】
しかしながら、上記従来の構成では、アナログ接続設定をＯＳＤ画面上で行う場合、図１５（ｃ）に示すように、順次リモコン等の操作ボタンにより切り換えて選択することは、ユーザにとって大変煩わしい操作であり、面倒である。また、このような設定は、図１４に示すようなバックパネルのケーブルの接続状況をユーザ自身が確認しながら行わなければならず、混乱しやすく間違える可能性があった。
【００１５】
このような問題を解決するものが、特開２００２−１８５８７４号公報に開示されている。この公報には、ＴＶ側からＩＥＥＥ１３９４端子を介して外部機器の電源をｏｎ／ｏｆｆ制御する送信コマンドを出力し、アナログ入力端子にて上記外部機器から返信されたアナログ映像信号の同期信号を検出することにより、どのアナログ入力端子がどの外部機器と接続されているのかを認識し、アナログ接続設定を自動的に行うことのできる技術が記載されている。
【００１６】
ところが、上記アナログ接続設定を行うためには、ＴＶ側に同期信号検出回路が必要であり、回路規模が大きく、コストもかかる、という問題が生じていた。
【００１７】
また、上記アナログ接続設定は、設定の開始から終了までにある程度の時間がかかっていた。つまり、外部機器側では、ＴＶ側からＩＥＥＥ１３９４ラインで電源ｏｎの指示を受け取ると、マイコン系の電源をｏｎにし、各回路ブロックの電源ｏｎを指令すると、信号処理系の電源がｏｎとなる。その後、同期信号をＴＶ側に出力するため、電源ｏｎの指示を受け取ってから同期信号を出力するまでに時間がかかる。その結果、アナログ接続設定の時間も長くなってしまい、その間、ユーザを待たすこととなっていた。
【００１８】
また、上記アナログ接続設定では、同期信号の検出によりアナログ接続端子の識別を行っているため、複数の外部機器が接続されている場合、複数の外部機器全てのアナログ接続設定を同時に行うことができなかった。さらに、ＩＥＥＥ１３９４ラインでデイジーチェーンされている外部機器については、従来のように、ユーザが手動で設定しなければならなかった。
【００１９】
また、上記公報に記載の技術では、外部機器が、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ライン等のデジタルラインと、ＩＥＥＥ１３９４ラインとで接続されている場合、外部機器から出力されるデジタルデータには同期信号がないため、同期信号のパターンを検出する専用の回路が必要で、装置全体が大きくなりコストがかかる、という問題が生じていた。また、ＨＤＭＩラインなどのデジタルラインは、ＩＥＥＥ１３９４ラインのように自動認識することができないため、上記アナログラインと同様、ＴＶ側に、どの外部機器にどのデジタルラインが接続されているかを認識させるためのデジタル設定を行わなければならず、設定にも時間がかかる、という問題が生じていた。
【００２０】
本発明は、上記問題点を解決するためになされたものであり、簡単な回路構成で、アナログ／デジタル接続設定を自動的、かつ短時間で行うことができ、ユーザの操作性を大きく向上させることのできるテレビジョン受像機、及び外部機器を提供することを目的とする。
【特許文献１】特開２００２−１８５８７４号公報
【発明の開示】
【００２１】
本発明の請求項１に記載のテレビジョン受像機は．複数の外部機器が、それぞれＩＥＥＥ１３９４ライン及びアナログラインを介して接続されるテレビジョン受像機であって、上記複数の各外部機器に対し、該外部機器に接続されたＩＥＥＥ１３９４ラインを介して順次同じ送信コマンドを送信するコマンド送信手段と、上記各外部機器から上記各送信コマンドに応答して発せられる応答コマンドの伝送に使用されたアナログラインを、上記各アナログラインに接続されているアナログ映像信号入力端子、またはアナログ音声信号入力端子のＤＣレベルをモニタすることにより識別し、上記各外部機器に使用されたＩＥＥＥ１３９４ライン、及びアナログラインを、上記各外部機器の動作に応じて自動的に切替える切替制御手段とを備えたものである。
これにより、従来必要であった同期信号検出回路が不要となるため、回路構成を簡単にすることができるとともに、外部機器がデイジーチェーン接続されている場合にも自動的、かつ短時間でアナログ接続設定をすることができ、ユーザの操作性を向上させることができる。
【００２２】
また、本発明の請求項２に記載のテレビジョン受像機は、複数の外部機器が、それぞれＩＥＥＥ１３９４ライン及びアナログラインを介して接続されるテレビジョン受像機であって、上記複数の各外部機器に対し、該外部機器に接続されたＩＥＥＥ１３９４ラインを介して上記各外部機器毎に特性の異なる各送信コマンドを送信するコマンド送信手段と、上記各外部機器から上記各送信コマンドに応答して発せられる応答コマンドの伝送に使用されたアナログラインを識別し、上記各外部機器に使用されたＩＥＥＥ１３９４ライン、及びアナログラインを、上記各外部機器の動作に応じて自動的に切替える切替制御手段と、を備えたものである。
これにより、デイジーチェーン接続されている外部機器も含め、全ての外部機器のアナログ接続設定を一度に短時間で行うことができ、ユーザの操作性が向上する。
【００２３】
また、本発明の請求項３に記載のテレビジョン受像機は、請求項１に記載のテレビジョン受像機において、上記送信コマンドは、上記外部機器に対しての電源投入または遮断、ないしはその繰り返しであることを特徴とするものである。
これにより、従来必要であった同期信号検出回路が不要となるため、回路構成を簡単にすることができる。
【００２４】
また、本発明の請求項４に記載のテレビジョン受像機は、請求項２に記載のテレビジョン受像機において、上記送信コマンドは、上記外部機器に対しての電源投入または遮断、ないしはその繰り返しであり、上記コマンド送信手段は、外部機器毎に、ｏｎ時間あるいは、ｏｎ／ｏｆｆ制御回数の異なる送信コマンドを送信するものである。
これにより、従来必要であった同期信号検出回路が不要となるため、回路構成を簡単にすることができる。
【００２５】
また、本発明の請求項５に記載のテレビジョン受像機は、請求項２に記載のテレビジョン受像機において、上記各アナログラインが接続されている端子は、アナログ映像信号入力端子、またはアナログ音声信号入力端子であるものである。
これにより、簡単な回路構成で、アナログ接続設定を自動的、かつ短時間で行うことができ、ユーザの操作性を大きく向上させることのできるテレビジョン受像機を実現可能である。
【００２６】
また、本発明の請求項６に記載のテレビジョン受像機は、請求項５に記載のテレビジョン受像機において、上記切替制御手段は、上記アナログ映像信号入力端子、または上記アナログ音声信号入力端子のＤＣレベルをモニタすることにより、上記アナログラインの識別を行うものである。
これにより、従来必要であった同期信号検出回路が不要となるため、回路構成を簡単にすることができる。
【００２７】
また、本発明の請求項７に記載のテレビジョン受像機は、外部機器が、ＩＥＥＥ１３９４ライン及びデジタルラインを介して接続されるテレビジョン受像機であって、上記外部機器に対し、上記ＩＥＥＥ１３９４ラインを介して送信コマンドを送信するコマンド送信手段と、上記外部機器から上記送信コマンドに応答して発せられる応答コマンドの伝送に使用されたデジタルラインを識別し、上記外部機器に使用されたＩＥＥＥ１３９４ライン、及びデジタルラインを、上記外部機器の動作に応じて切替える切替制御手段と、を備えたものである。
これにより、従来必要であったデジタル接続設定専用の同期信号パターン検出回路が不要となるため、回路構成を簡単にすることができるとともに、ＩＥＥＥ１３９４ライン及びデジタルラインで接続されている外部機器のデジタル接続設定を自動的、かつ短時間で行うことができ、ユーザの操作性を向上させることができる。
【００２８】
また、本発明の請求項８に記載のテレビジョン受像機は、複数の外部機器が、それぞれＩＥＥＥ１３９４ライン及びデジタルラインを介して接続されるテレビジョン受像機であって、上記複数の各外部機器に対し、該外部機器に接続されたＩＥＥＥ１３９４ラインを介して順次同じ送信コマンドを送信するコマンド送信手段と、上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切替える切替制御手段と、を備えたものである。
これにより、デジタル接続設定専用の同期信号パターン検出回路が不要となるため、回路構成を簡単にすることができるとともに、ＩＥＥＥ１３９４ラインとデジタルラインで接続されている複数の外部機器のデジタル接続設定を自動的に行うことができ、ユーザの操作性を向上させることができる。
【００２９】
また、本発明の請求項９に記載のテレビジョン受像機は、複数の外部機器が、それぞれＩＥＥＥ１３９４ライン及びデジタルラインを介して接続されるテレビジョン受像機であって、上記複数の各外部機器に対し、該外部機器に接続されたＩＥＥＥ１３９４ラインを介して上記各外部機器毎に特性の異なる各送信コマンドを送信するコマンド送信手段と、上記各外部機器から上記各送信コマンドに応答して発せられる応答コマンドの伝送に使用されたデジタルラインを識別し、上記各外部機器に使用されたＩＥＥＥ１３９４ライン、及びデジタルラインを、上記各外部機器の動作に応じて切替える切替制御手段と、を備えたものである。
これにより、デイジーチェーン接続されている外部機器も含め、全ての外部機器のデジタル接続設定を一度に短時間で行うことができ、ユーザの操作性が向上する。
【００３０】
また、本発明の請求項１０に記載のテレビジョン受像機は、請求項８に記載のテレビジョン受像機において、上記送信コマンドは、上記外部機器に対しての電源投入または遮断、ないしはその繰り返しであることを特徴とするものである。
これにより、従来必要であった同期信号検出回路が不要となるため、回路構成を簡単にすることができる。
【００３１】
また、本発明の請求項１１に記載のテレビジョン受像機は、請求項９に記載のテレビジョン受像機において、上記送信コマンドは、上記外部機器に対しての電源投入または遮断、ないしはその繰り返しであり、上記コマンド送信手段は、外部機器毎に、ｏｎ時間あるいは、ｏｎ／ｏｆｆ制御回数の異なる送信コマンドを送信するものである。
これにより、従来必要であった同期信号検出回路が不要となるため、回路構成を簡単にすることができる。
【００３２】
また、本発明の請求項１２に記載のテレビジョン受像機は、請求項８または請求項９に記載のテレビジョン受像機において、上記各デジタルラインが接続されている端子は、ＨＤＭＩ端子であるものである。
これにより、簡単な回路構成で、デジタル接続設定を自動的、かつ短時間で行うことができ、ユーザの操作性を大きく向上させることのできるテレビジョン受像機を実現可能である。
【００３３】
また、本発明の請求項１３に記載のテレビジョン受像機は、請求項１２に記載のテレビジョン受像機において、上記切替制御手段は、上記ＨＤＭＩ端子のＤＣレベルをモニタすることにより、上記デジタルラインの識別を行うものである。
これにより、従来必要であった同期信号検出回路が不要となるため、回路構成を簡単にすることができる。
【００３４】
また、本発明の請求項１４に記載のテレビジョン受像機は、請求項１２に記載のテレビジョン受像機において、上記コマンド送信手段は、上記送信コマンドをＩＥＥＥ１３９４ラインを介して外部機器に送信し、上記切替制御手段は、上記外部機器より上記送信コマンドに応答して発せられる機器制御信号の信号レベル、または機器制御信号の応答コマンドをモニタすることにより、上記デジタルラインの識別を行うものである。
これにより、従来必要であった同期信号検出回路が不要となるため、回路構成を簡単にすることができる。
【００３５】
また、本発明の請求項１５に記載の外部機器は、ＩＥＥＥ１３９４ライン及びアナログラインを介してテレビジョン受像機に接続される外部機器であって、上記テレビジョン受像機から上記ＩＥＥＥ１３９４ラインを介して伝送されてきた送信コマンドを検出し、該送信コマンドに対する応答コマンドを上記アナログラインを介して上記テレビジョン受像機に出力する検出手段を備えたものである。
これにより、簡単な回路構成で、アナログ接続設定を自動的に行うことのできる再生システムを提供することができる。
【００３６】
また、本発明の請求項１６に記載の外部機器は、ＩＥＥＥ１３９４ライン及びデジタルラインを介してテレビジョン受像機に接続される外部機器であって、上記テレビジョン受像機から上記ＩＥＥＥ１３９４ラインを介して伝送されてきた送信コマンドを検出し、該送信コマンドに対する応答コマンドを上記デジタルラインを介して上記テレビジョン受像機に出力する検出手段を備えたものである。
これにより、簡単な回路構成で、デジタル接続設定を自動的に行うことのできる再生システムを提供することができる。
【発明を実施するための最良の形態】
【００３７】
以下、本発明の実施の形態を、図面を参照しながら説明する。
（実施の形態１）
図１は、本発明の実施の形態１によるテレビジョン受像機の概略構成を示す図である。
テレビジョン受像機（ＴＶ）は、受信手段１００と、Ｉ／Ｆ部３００と、信号処理手段５００と、表示出力手段６００と、コマンド送信手段２０２と、切替制御手段７００とを備えたものである。
【００３８】
上記受信手段１００は、ユーザからの指示を受信する。
上記Ｉ／Ｆ部３００は、外部機器とデータのやり取りを行う。この上記Ｉ／Ｆ部３００は、アナログ映像信号入力端子であるコンポーネントビデオ端子３０１，３０３，３０５と、ＩＥＥＥ１３９４端子３０２，３０４とを有している。ここでは、上記コンポーネントビデオ端子３０１，３０３，３０５のそれぞれには、ＤＶＨＳ１ａ、ＤＶＨＳ２ａ，ＤＶＨＳ３ａがアナログ接続されている。また、上記ＩＥＥＥ１３９４端子３０２，３０４には、ＤＶＨＳ１ａ，ＤＶＨＳ２ａがデジタル接続されている。なお、上記ＤＶＨＳ２ａは、チューナを内蔵しており、放送波を受信可能なものとする。上記ＤＶＨＳ３ａは、上記ＤＶＨＳ１ａとＩＥＥＥ１３９４ラインでデイジーチェーン接続されており、ＴＶは、ＩＥＥＥ１３９４端子３０２を介してＤＶＨＳ１ａ、ＤＶＨＳ３ａの両方と通信可能である。
【００３９】
上記信号処理手段５００は、外部機器から上記Ｉ／Ｆ部３００を介して受け取った伝送データに所定の処理を施す。
上記表示出力手段６００は、上記信号処理手段５００にて所定の処理が施されたデータを表示出力する。
【００４０】
上記コマンド送信手段２０２は、外部機器に対し、送信コマンドを送信する。
上記切替制御手段７００は、外部機器から上記送信コマンドに応答して発せられる応答コマンドの伝送に使用されたアナログ入力端子を、上記Ｉ／Ｆ部３００が有する複数のアナログ入力端子のＤＣレベルをモニタすることにより識別し、該外部機器に使用されたＩＥＥＥ１３９４ライン及びアナログラインを、該外部機器の動作に応じて切り替えるものである。この切替制御手段７００は、上記受信手段１００にて受信したユーザからの指示内容に基づいて各機能ブロックを制御する制御手段２００と、上記Ｉ／Ｆ部３００から信号処理手段５００へのデータ出力経路を切り替える切替手段４００とよりなるものである。
【００４１】
上記制御手段２００の詳細な構成図を図７に示す。
この制御手段２００は、ユーザからの指示に従って設定を行い、設定情報を記憶する設定手段２０１と、外部機器から上記送信コマンドに応答して発せられる応答コマンドの伝送に使用されたアナログラインを識別する識別手段２０３と、上記外部機器に使用されたＩＥＥＥ１３９４ライン及びアナログラインを、該外部機器の動作に応じて切替えるための切替信号を出力するセレクタ制御手段２０４と、上記設定情報に従って信号処理制御信号を出力する信号処理制御手段２０５と、上記設定情報に従って表示出力制御信号を出力する表示出力制御手段２０６とを有している。また、上記設定手段２０１は、ユーザからのアナログ接続設定の指示を受信した場合、上記コマンド送信手段２０２に対し、送信コマンドを出力するよう指示する。
【００４２】
図８は、本発明のＴＶに接続される外部機器の概略構成を示す図である。
図８に示す外部機器は、ユーザからの指示を受信する受信手段７０１と、ＴＶや他の外部機器とデータのやり取りを行うＩ／Ｆ部７０５と、ＩＥＥＥ１３９４ラインを介してＴＶ側から伝送されてきた送信コマンドを検出する検出手段７０６と、上記Ｉ／Ｆ部７０５を介して受け取ったデータを記憶する記憶手段７０２と、上記Ｉ／Ｆ部７０５を介して受け取ったデータ、あるいは上記記憶手段７０２に記憶されているデータに対し所定の処理を施す信号処理手段７０４と、ユーザからの指示に従って各機能ブロックを制御する制御手段７０３と、を備えたものである。外部機器としては、ＤＶＨＳ、ＤＶＤレコーダ、ブルーレイディスクレコーダ（ＢＤレコーダ）などのディジタルＡＶ機器が挙げられる。
【００４３】
次に、本実施の形態１におけるアナログ接続設定について図２を用いて説明する。
ＴＶ側では、まず、コマンド送信手段２０２からＤＶＨＳ１ａに対し、ＩＥＥＥ１３９４端子３０２を介して電源ｏｎ／ｏｆｆコマンドＡ１〜Ａ３を送信コマンドとして送信する。
【００４４】
ＤＶＨＳ１ａ側では、上記電源ｏｎ／ｏｆｆコマンドＡ１〜Ａ３の受信により電源ｏｎ／ｏｆｆ制御されたアナログｐｉｎ出力にＤＣレベル変動Ｂ１〜Ｂ３が発生し、このＤＣレベル変動Ｂ１〜Ｂ３を応答コマンドとしてＴＶ側にアナログラインを介して伝送される。
【００４５】
ＴＶ側では、上記ＤＶＨＳ１ａからの応答コマンドの受信により、コンポーネントビデオ端子３０１にＤＣレベル変動Ｃ１〜Ｃ３が発生する。このＤＣレベル変動Ｃ１〜Ｃ３を、識別手段２０３で検出して２値化し、上記ＤＣレベル変動のｏｎ／ｏｆｆ（以下、ｏｎはＤＣレベルが高い状態、ｏｆｆはＤＣレベルが低い状態を示す）の回数およびｏｎ時間を、上記送信コマンドと比較する。比較の結果、上記送信コマンドＡ１〜Ａ３と上記ＤＣレベル変動Ｃ１〜Ｃ３を二値化した信号とが一致していると判断した場合には、上記応答コマンドＢ１〜Ｂ３の伝送に使用されたコンポーネントビデオ端子３０１がＤＶＨＳ１ａとアナログ接続されていることを認識する。
【００４６】
次に、ＴＶ側からＤＶＨＳ２ａに対し、上記ＤＶＨＳ１ａに送信した送信コマンドと同一の送信コマンドＡ１〜Ａ３をＩＥＥＥ１３９４端子３０４を介して送信し、各アナログラインが接続されているコンポーネントビデオ端子３０１，３０３，３０５のＤＣレベルをモニタすることにより、上記ＤＶＨＳ２ａから上記送信コマンドＡ１〜Ａ３に応答して発せられる応答コマンドＢ１〜Ｂ３の伝送に使用されたアナログラインを識別し、コンポーネントビデオ端子３０３がＤＶＨＳ２ａとアナログ接続されていることを認識する。
【００４７】
同様に、ＴＶ側からＤＶＨＳ３ａに対し、上記ＤＶＨＳ１ａに送信した送信コマンドと同一の送信コマンドＡ１〜Ａ３をＩＥＥＥ１３９４端子３０２を介して送信し、各アナログラインが接続されているコンポーネントビデオ端子３０１，３０３，３０５のＤＣレベルをモニタすることにより、上記ＤＶＨＳ３ａから上記送信コマンドＡ１〜Ａ３に応答して発せられる応答コマンドＢ１〜Ｂ３の伝送に使用されたアナログラインを識別し、コンポーネントビデオ端子３０５がＤＶＨＳ３ａにアナログ接続されていることを認識する。
【００４８】
このようにして、デイジーチェーン接続されているＤＶＨＳ３ａも含めた、ＩＥＥＥ１３９４ラインで接続されている全ての外部機器のアナログ接続設定を自動的に行う。このアナログ接続設定が終了した後、切替手段４００では、上記各ＤＶＨＳ１ａ〜３ａに使用されたＩＥＥＥ１３９４ライン及びアナログラインを、該各ＤＶＨＳ１ａ〜３ａの動作に応じて切り替える。
【００４９】
このような実施の形態１によるテレビジョン受像機では、ＤＶＨＳ１ａ〜３ａが、それぞれＩＥＥＥ１３９４ライン及びアナログラインを介して接続されている場合、上記各アナログラインが接続されているコンポーネントビデオ端子のＤＣレベルをモニタし、上記各ＤＶＨＳ１ａ〜３ａから上記各送信コマンドに応答して発せられる応答コマンドの伝送に使用されたアナログラインを識別し、上記各ＤＶＨＳ１ａ〜３ａに使用されたＩＥＥＥ１３９４ライン及びアナログラインを、該各ＤＶＨＳ１ａ〜３ａの動作に応じて自動的に切り替えるようにしたので、従来必要であった同期信号検出回路が不要となり、回路構成を簡単にすることができるとともに、デイジーチェーン接続されている外部機器も含め、全てのＩＥＥＥ１３９４ラインで接続されている外部機器のアナログ接続設定を、自動的、かつ短時間で行うことができ、ユーザの操作性を大幅に向上させることができる。
【００５０】
なお、本実施の形態１では、ＴＶ側から複数の各外部機器に対し、同一の送信コマンドを順次送信してアナログ接続設定を行う場合について説明したが、複数の外部機器毎に特性の異なる各送信コマンドを送信するようにしても良い。具体的には、ＤＶＨＳ１ａに対しては、図２に示す電源ｏｎ／ｏｆｆコマンドＡ１〜Ａ３を送信コマンドとして送信し、ＤＶＨＳ２ａに対しては、図３に示すように、電源ｏｎ時間の異なる電源ｏｎ／ｏｆｆコマンドＡ４〜Ａ６を送信コマンドとして送信するようにすれば、ＴＶ側で各外部機器から出力された応答コマンドのｏｎ時間を上記各送信コマンドのｏｎ時間と比較することにより外部機器毎の識別が可能となり、デイジーチェーン接続されている外部機器も含めた、全ての外部機器について一度にアナログ接続設定を行うことができる。また、特性の異なる送信コマンドとして、電源ｏｎ／ｏｆｆ制御回数を変えたものを使用しても良い。
【００５１】
また、本実施の形態１では、アナログラインがアナログ映像信号入力端子に接続されている場合について説明したが、アナログラインがアナログ音声信号入力端子に接続されている場合も同様にして、アナログ接続設定を行うことができる。
【００５２】
（実施の形態２）
図４は、本発明の実施の形態２によるテレビジョン受像機の構成を示す図である。図中において、図１と同一符号は同一のものを示す。
上記実施の形態１と異なる点は、上記実施の形態１では、テレビジョン受像機が、複数のＩＥＥＥ１３９４端子及びアナログ入力端子を有していたが、本実施の形態２では、複数のＩＥＥＥ１３９４端子及びＨＤＭＩ端子を有する点である。
【００５３】
上記Ｉ／Ｆ部３００は、デジタル入力端子であるＨＤＭＩ端子３１１，３１３，３１５と、デジタル端子であるＩＥＥＥ１３９４端子３１２，３１４とを有している。
【００５４】
ここでは、外部機器としてブルーレイディスクレコーダ（ＢＤレコーダ）１ｂ、２ｂ、３ｂが接続されているものとする。なお、ＢＤレコーダ３ｂは、ＢＤレコーダ１ｂとＩＥＥＥ１３９４ラインでデイジーチェーン接続されており、ＢＤレコーダ１ｂ、及びＴＶの両方とデータのやり取りを行うことが可能である。従って、ＴＶは、ＢＤレコーダ１ｂ、ＢＤレコーダ３ｂの両方とＩＥＥＥ１３９４ラインを介して通信可能である。また、ＢＤレコーダ２ｂはチューナを内蔵しており、放送波を受信可能である。
【００５５】
次に、本実施の形態２における、デジタル接続設定について図５を用いて説明する。
ＴＶ側では、まず、コマンド送信手段２０２からＢＤレコーダ１ｂに対し、ＩＥＥＥ１３９４端子３１２を介して電源ｏｎ／ｏｆｆコマンドＡ１１〜Ａ１３を送信コマンドとして送信する。
【００５６】
ＢＤレコーダ１ｂ側では、上記電源ｏｎ／ｏｆｆコマンドＡ１１〜Ａ１３の受信により電源ｏｎ／ｏｆｆ制御されたＨＤＭＩ端子のＨｏｔ−Ｐｌｕｇ−Ｄｅｔｅｃｔ（ＨＰＤ）ラインにＤＣレベル変動Ｂ１１〜Ｂ１３が発生し、このＤＣレベル変動Ｂ１１〜Ｂ１３が応答コマンドとしてＴＶ側にＨＤＭＩラインを介して伝送される。
【００５７】
ＴＶ側では、上記ＢＤレコーダ１ｂからの応答コマンドの受信により、ＨＤＭＩ端子３１１にＤＣレベル変動Ｃ１１〜Ｃ１３が発生する。このＤＣレベル変動Ｃ１１〜Ｃ１３を、識別手段２０３で検出して２値化し、上記ＤＣレベル変動のｏｎ／ｏｆｆ回数およびｏｎ時間を、上記送信コマンドと比較する。比較の結果、上記送信コマンドＡ１１〜Ａ１３と上記ＤＣレベル変動Ｃ１１〜Ｃ１３を二値化した信号とが一致していると判断した場合には、上記応答コマンドＢ１１〜Ｂ１３の伝送に使用されたＨＤＭＩ端子３１１がＢＤレコーダ１ｂとデジタル接続されていることを認識する。
【００５８】
次に、ＴＶ側からＢＤレコーダ２ｂに対し、上記ＢＤレコーダ１ｂに送信した送信コマンドと同一の送信コマンドＡ１１〜Ａ１３をＩＥＥＥ１３９４端子３１４を介して送信し、上記ＨＤＭＩラインが接続されているＨＤＭＩ端子３１１，３１３，３１５のＤＣレベルをモニタすることにより、上記ＢＤレコーダ２ｂから上記送信コマンドＡ１１〜Ａ１３に応答して発せられる応答コマンドＢ１〜Ｂ３の伝送に使用されたＨＤＭＩラインを識別し、ＨＤＭＩ端子３１３がＢＤレコーダ２ｂとデジタル接続されていることを認識する。
【００５９】
同様に、ＴＶ側からＢＤレコーダ３ｂに対し、上記ＢＤレコーダ１ｂに送信した送信コマンドと同一の送信コマンドＡ１１〜Ａ１３をＩＥＥＥ１３９４端子３１２を介して送信し、各ＨＤＭＩラインが接続されているＨＤＭＩ端子３１１，３１３，３１５のＤＣレベルをモニタすることにより、上記ＢＤレコーダ３ｂから上記送信コマンドＡ１１〜Ａ１３に応答して発せられる応答コマンドＢ１１〜Ｂ１３の伝送に使用されたＨＤＭＩラインを識別し、上記ＨＤＭＩ端子３１５がＢＤレコーダ３ｂとデジタル接続されていることを認識する。
【００６０】
このようにして、デイジーチェーン接続されているＢＤレコーダ３ｂも含めた、ＩＥＥＥ１３９４ラインで接続されている全ての外部機器のデジタル接続設定を自動的に行う。このデジタル接続設定が終了した後、切替手段４００では、上記各ＢＤレコーダ１ｂ〜３ｂに使用されたＩＥＥＥ１３９４ライン及びＨＤＭＩラインを、該各ＢＤレコーダ１ｂ〜３ｂの動作に応じて切り替える。すなわち、ＴＶ側では、通常のデータ伝送にはＨＤＭＩラインを使用し、ＢＤレコーダ側でデコード不能なストリーム等を伝送する場合にはＩＥＥＥ１３９４ラインを使用するよう切り替える。
【００６１】
このような、外部機器の動作に応じてＩＥＥＥ１３９４ラインとＨＤＭＩラインとを自動的に切り替える再生システムは、以下のような場合にも利用することができる。
【００６２】
例えば、図９に示すように、再生課金システムが採用されている有料番組を視聴する場合である。ここでは、外部機器としてＨＤＤレコーダを用いている。
【００６３】
ＴＶ９００側のチューナ９０１、またはＨＤＤレコーダ９１０側のチューナ９１１で受信した番組データのうち、ユーザが所望の番組データを圧縮ストリームのまま、ＨＤＤ（ハードディスクドライブ）９１４に記録する。その後、ＨＤＤ９１４に記録されている記録データのうち、ユーザからの指示に従ってユーザが視聴したいデータを再生課金フラグ検出回路９１５に読み出す。このとき、再生課金フラグ検出回路９１５にて、再生しようとする再生データが有料番組のデータであるかどうかを判断する。
【００６４】
上記判断の結果、再生しようとする再生データに、再生課金フラグが検出されなかった場合（通常再生時）は、デマルチプレクス＆デコード回路９１６で分離・デコード処理を施した後、ＨＤＭＩラインＬ１でＴＶ９００側に伝送し、映像・音声信号処理及び出力装置９０７で所定の処理を施して表示出力する。これにより、ユーザは所望の再生データを視聴することができる。
【００６５】
一方、再生しようとする再生データに、再生課金フラグが検出された場合（再生課金対応データ再生時）、ＩＥＥＥ１３９４ラインＬ２でＴＶ９００側のデスクランブル回路９０４に伝送し、再生課金システム対応ＩＣカード９０３を用いてデスクランブル処理を行う。その後、デマルチプレクス＆デコード回路９０６で分離・デコード処理を施し、映像・音声信号処理及び出力装置９０７で所定の処理を施して表示出力する。これにより、ユーザは所望の再生データを視聴することができる。
【００６６】
このように、ＨＤＤレコーダ９１０のＨＤＤ９１４に記録されているデータのうち、再生課金対応データではない通常のデータを再生する場合は、ＨＤＭＩラインＬ１を使用してＴＶ９００側に伝送し、再生課金対応データを再生する場合は、ＩＥＥＥ１３９４ラインＬ２を使用してＴＶ９００側に伝送するよう、ＨＤＭＩラインＬ１とＩＥＥＥ１３９４ラインＬ３とを自動的に切り替えるようしたので、ＨＤＤ９１４に記録されている、通常のデータと再生課金対応データとを連続して再生することができる。
【００６７】
上記図９に示した例以外に、図１０に示すように、ＴＶ側のみ地上波デジタルチューナを搭載している場合もある。図１０では、外部機器として、ＢＤレコーダを用いている。
【００６８】
ユーザが所望の番組を、ＴＶ１０００側のＢＳ／ＣＳデジタルチューナ１００１、あるいは地上波デジタルチューナ１００２で受信し視聴する場合は、それぞれ専用のデマルチプレクス及びデコード回路１００３，１００４で分離・デコード処理を施した後、映像・音声信号処理及び出力装置１００５で所定の処理を施して表示出力することにより、ユーザは所望の番組を視聴することができる。
【００６９】
また、ＴＶ１０００側のＢＳ／ＣＳデジタルチューナ１００１、地上波デジタルチューナ１００２、あるいは外部機器１０１０側のＢＳ／ＣＳデジタルチューナ１０１１で受信した番組データをＤＶＤ１０１３に記録しておき、ＤＶＤ１０１３に記録されているデータのうち、ユーザが所望のデータを再生する場合、ＤＶＤ１０１３から読み出した再生データの放送方式を、放送方式検出回路１０１４で判別する。
【００７０】
上記判別の結果、再生しようとする再生データがＢＳ／ＣＳチューナ１００１，１０１１で受信した番組データである場合、デマルチプレクス＆デコード回路１０１５で分離・デコード処理を施した後、ＨＤＭＩラインＬ４でＴＶ１０００側に伝送し、映像・音声信号処理及び出力装置１００５で所定の処理を施して表示出力する。これにより、ユーザは所望の再生データを視聴することができる。
【００７１】
一方、再生しようとする再生データが地上波デジタルチューナ１００２で受信した番組である場合、外部機器１０１０側には地上波デジタル対応のデマルチプレクス及びデコード回路が無いため、ＩＥＥＥ１３９４ラインＬ３でＴＶ１０００側に伝送し、専用のデマルチプレクス及びデコード回路１００４で分離・デコード処理を施し、映像・音声信号処理及び出力装置１００５で所定の処理を施して表示出力する。これにより、ユーザは所望の再生データを視聴することができる。
【００７２】
このように、外部機器１０１０側では、ＤＶＤ１０１３から読み出された再生データの放送方式に応じて、ＩＥＥＥ１３９４ラインＬ３とＨＤＭＩラインＬ４とを自動的に切り替えてＴＶ１０００側に伝送するようにしたので、ＤＶＤ１０１３に記録されている、地上波デジタルチューナで受信したデータと、ＢＳ／ＣＳチューナで受信したデータとを連続して再生することができる。
【００７３】
なお、ここでは、地上波デジタルチューナ１００２がＴＶ１０００側のみに搭載されていて、地上波デジタルチューナ１００２で受信した番組データを外部機器１０１０に記録し再生するときは、外部機器１０１０からＩＥＥＥ１３９４ラインＬ３を介してＴＶ１０００側に伝送し、ＴＶ１０００側でデコードする場合について説明したが、必ずしもこれに限定されるものではない。例えば、外部機器１０１０側でデコードできないデータを再生する場合は、無条件でＩＥＥＥ１３９４ラインで伝送するようにしても良い。他にも、ＴＶ１０００側と外部機器１０１０側のどちらにも同一のチューナが搭載されていて、予めＴＶ１０００と外部機器１０１０との間でどちら側でデコードするかを決めた上で、ＩＥＥＥ１３９４ラインとＨＤＭＩラインとを切り替えるようにしても良い。
【００７４】
このような実施の形態２によるテレビジョン受像機では、外部機器とＩＥＥＥ１３９４ライン及びＨＤＭＩラインを介して接続されている場合、上記外部機器に対し、上記ＩＥＥＥ１３９４ラインを介して送信コマンドを送信し、装備している全てのＨＤＭＩ端子３１１，３１３，３１５のＤＣレベルをモニタすることにより、上記外部機器から上記送信コマンドに応答して発せられる応答コマンドの伝送に使用されたＨＤＭＩ端子を識別するようにしたので、外部機器がデイジーチェーン接続されている場合にも自動的に、かつ短時間でデジタル接続設定を行うことができ、ユーザの操作性を向上させることができる。
【００７５】
また、本実施の形態２によるテレビジョン受像機では、外部機器に接続されているＩＥＥＥ１３９４ラインと該ＩＥＥＥ１３９４ラインに対応するＨＤＭＩラインとを確実に認識することができるので、例えば、再生課金システムを採用している場合や、外部機器側でデコード不可能なデータとデコード可能なデータとが混在しているストリームデータを再生する場合など、ＨＤＭＩラインとＩＥＥＥ１３９４ラインとの切り替えが必要な場合であっても、これらの切り替えを自動的かつ確実に切り替えることができ、ユーザは煩わしい操作入力をすることなく、視聴をすることができる。
【００７６】
さらに、本実施の形態２によるテレビジョン受像機では、複数の外部機器がＩＥＥＥ１３９４ライン及びＨＤＭＩラインを介して接続されている場合にも、同様にしてデジタル設定を行い、各外部機器に使用されているＩＥＥＥ１３９４ライン及びＨＤＭＩラインを、該各外部機器の動作に応じて自動的に切り替えることができるので、ユーザの操作性を向上させ、かつ安定した再生システムを提供することができる。
【００７７】
なお、本実施の形態２では、ＴＶ側から複数の各外部機器に対し、同一の送信コマンドを順次送信してデジタル設定を行う場合について説明したが、複数の外部機器毎に特性の異なる各送信コマンドを送信するようにしても良い。具体的には、ＢＤレコーダ１ｂに対しては、図５に示すように、電源ｏｎ／ｏｆｆ回数が３回であるコマンドＡ１１〜Ａ１３を送信コマンドとして送信し、ＢＤレコーダ２ｂに対しては、図６に示すように、電源ｏｎ／ｏｆｆ回数が２回のコマンドＡ１４〜Ａ１５を送信するようにすれば、ＴＶ側で各外部機器側から出力された応答コマンドのｏｎ／ｏｆｆ回数を比較することにより外部機器毎の識別が可能となり、デイジーチェーン接続されている外部機器も含めた、全ての外部機器について一度にデジタル接続設定を行うことができる。また、特性の異なる送信コマンドとして、電源ｏｎ時間を変えたものを使用しても良い。
【００７８】
また、本実施の形態２では、ＨＤＭＩ端子のＨｏｔ−Ｐｌｕｇ−ＤｅｔｅｃｔラインのＤＣレベルを検出する場合について説明したが、ＴＭＤＳ信号のＤＣレベル変動、ＴＭＤＳクロックチャンネルのクロックの有無、機器制御ラインのＤＣレベル変動、ＤＤＣ（Ｉ２Ｃ）ラインのＤＣレベル変動、のいずれかを検出するようにしても、同様の効果が得られる。
【００７９】
また、本実施の形態２では、送信コマンド・応答コマンドとして、電源ｏｎ／ｏｆｆコマンドを用いて、応答コマンドの伝送に使用されたデジタル入力端子の識別を行う場合について説明したが、送信コマンドとして特定パケットを送信し、外部機器側から特定のアクノリッジ信号（Ａｃｋ信号）を応答コマンドとして返信することにより、該応答コマンドの伝送に使用されたデジタル入力端子の識別を行うようにしても良い。特定パケットとしては、ＴＭＤＳ信号、機器制御信号、ＤＤＣ（Ｉ２Ｃ）信号等を用い、返信するＡｃｋ信号としては、ＴＭＤＳ信号の特定映像信号、機器制御信号の特定パターン、ＤＤＣ（Ｉ２Ｃ）信号の特定パターン等を用いても良い。
【産業上の利用可能性】
【００８０】
本発明にかかるテレビジョン受像機は、入力端子のＤＣレベル等を検出することにより複数の外部機器を識別し、各外部機器の動作に応じてＩＥＥＥ１３９４ラインと、アナログライン、もしくはデジタルラインとを自動的に切り替えることのできるテレビジョン受像機として有用である。
【図面の簡単な説明】
【００８１】
【図１】本発明の実施の形態１によるテレビジョン受像機、及び該テレビジョン受像機に接続されている外部機器を示す図である。
【図２】上記実施の形態１のテレビジョン受像機における、アナログ接続自動設定方法を説明するための図である。
【図３】上記実施の形態１のテレビジョン受像機における、アナログ接続自動設定方法を説明するための図である。
【図４】本発明の実施の形態２によるテレビジョン受像機、及び該テレビジョン受像機に接続されている外部機器を示す図である。
【図５】上記実施の形態２のテレビジョン受像機における、デジタル接続自動設定方法を説明するための一例を示す図である。
【図６】上記実施の形態２のテレビジョン受像機における、デジタル接続自動設定方法を説明するための図である。
【図７】本発明のテレビジョン受像機における、制御手段の構成を示すブロック図である。
【図８】本発明の外部機器の概略構成を示すブロック図である。
【図９】本発明のテレビジョン受像機及び外部機器の具体例を示す図である。
【図１０】本発明のテレビジョン受像機及び外部機器の具体例を示す図である。
【図１１】従来のテレビジョン受像機、及び該テレビジョン受像機に接続されている外部機器を示す図である。
【図１２】従来のテレビジョン受像機における、制御手段の構成を示すブロック図である。
【図１３】従来の外部機器の概略構成を示すブロック図である。
【図１４】従来のテレビジョン受像機のバックパネル端子の一例を示す図である。
【図１５（ａ）】従来のテレビジョン受像機において、アナログ接続設定を行う場合に表示される、アナログ接続設定初期画面を示す図である。
【図１５（ｂ）】従来のテレビジョン受像機において、アナログ接続設定を終了した場合に表示される、アナログ接続設定終了画面を示す図である。
【図１５（ｃ）】従来におけるテレビジョン受像機において、アナログ接続設定をする際にＯＳＤ表示される設定項目を示す図である。
【手続補正３】
【補正対象書類名】図面
【補正対象項目名】全図
【補正方法】変更
【補正の内容】
【図１】
2005015901.tif 000018
【図２】
2005015901.tif 000019
【図３】
2005015901.tif 000020
【図４】
2005015901.tif 000021
【図５】
2005015901.tif 000022
【図６】
2005015901.tif 000023
【図７】
2005015901.tif 000024
【図８】
2005015901.tif 000025
【図９】
2005015901.tif 000026
【図１０】
2005015901.tif 000027
【図１１】
2005015901.tif 000028
【図１２】
2005015901.tif 000029
【図１３】
2005015901.tif 000030
【図１４】
2005015901.tif 000031
【図１５（ａ）】
2005015901.tif 000032
【図１５（ｂ）】
2005015901.tif 000033
【図１５（ｃ）】
2005015901.tif 000034
【国際調査報告】
2005015901.tif 000035
2005015901.tif 000036
2005015901.tif 000037
2005015901.tif 000038